(57)【特許請求の範囲】
【請求項１】
電力制御方法であって、
基地局から電力制御表示情報をユーザー端末（ＵＥ）により受信するステップと、
前記電力制御表示情報に基づいて、電力制御メカニズムが前記基地局又は前記ＵＥにより選択されるかを示す電力制御モードを識別するステップと、
前記電力制御モードが前記電力制御メカニズムが前記基地局により選択されることを示す場合、前記基地局により選択された第１の電力制御メカニズム又は第２の電力制御メカニズムに従ってアンライセンスバンドでの前記ＵＥのアップリンク送信に対する電力制御を前記ＵＥにより実行するステップと、
前記電力制御モードが前記電力制御メカニズムが前記ＵＥにより選択されることを示す場合、前記ＵＥにより検出された他の装置の信号エネルギーレベルに基づいて前記ＵＥにより選択された、前記第１の電力制御メカニズム又は第３の電力制御メカニズムに従って前記アンライセンスバンドでの前記ＵＥのアップリンク送信に対する電力制御を前記ＵＥにより実行するステップと、を有し、前記第１の電力制御メカニズム、前記第２の電力制御メカニズム、及び前記第３の電力制御メカニズムは、それぞれ互いに異なる電力制御パラメータセットを用いて送信電力を制御する
ことを特徴とする電力制御方法。
【請求項２】
ユーザー端末（ＵＥ）であって、
トランシーバと、
コントローラと、を含み、
前記コントローラは、
基地局から電力制御表示情報を受信するように前記トランシーバを制御し、
前記電力制御表示情報に基づいて、電力制御メカニズムが前記基地局又は前記ＵＥにより選択されるかを示す電力制御モードを識別し、
前記電力制御モードが前記電力制御メカニズムが前記基地局により選択されることを示す場合、前記基地局により選択された第１の電力制御メカニズム又は第２の電力制御メカニズムに従ってアンライセンスバンドでの前記ＵＥのアップリンク伝送に対する電力制御を実行し、
前記電力制御モードが前記電力制御メカニズムが前記ＵＥにより選択されることを示す場合、前記ＵＥにより検出された他の装置の信号エネルギーレベルに基づいて前記ＵＥにより選択された、前記第１の電力制御メカニズム又は第３の電力制御メカニズムに従って前記アンライセンスバンドでの前記ＵＥのアップリンク伝送に対する電力制御を実行するように構成され、前記第１の電力制御メカニズム、前記第２の電力制御メカニズム、及び前記第３の電力制御メカニズムは、それぞれ互いに異なる電力制御パラメータセットを用いて送信電力を制御する
ことを特徴とするユーザー端末。
【発明の詳細な説明】
【技術分野】
【０００１】
本発明は、移動通信技術、より具体的に電力制御方法、電力報告方法、アップリンク送信方法、及び該当ＵＥ及び制御ノードに関する。
【背景技術】
【０００２】
４Ｇ通信システムの展開以後に増加した無線データトラフィックに対する需要を満たすために、改善された５Ｇ又は５Ｇ以前の通信システムを開発するための努力がなされた。したがって、５Ｇ又は５Ｇ以前の通信システムは‘４Ｇネットワーク以後’又は‘ポストＬＴＥシステム’とも呼ばれる。５Ｇ通信システムは、より高いデータレートを達成するためにより高い周波数(ミリメートル波)帯域、例えば６０ＧＨｚ帯域から実現されると見なされる。ラジオ波の電波損失を減少し、伝送距離を増加するために、ビームフォーミング、大規模多重入力多重出力(ＭＩＭＯ)、全次元ＭＩＭＯ(ＦＤ-ＭＩＭＯ)、アレイアンテナ、アナログビームフォーミング、大規模アンテナ技術が５Ｇ通信システムで議論される。さらに、５Ｇ通信システムにおいて、進歩した小型セル、クラウド無線アクセスネットワーク(ＲＡＮ)、超高密度ネットワーク、デバイス間(Ｄ２Ｄ)通信、無線バックホール、移動ネットワーク、協力通信、ＣｏＭＰ(Coordinated Multi-Point)、受信側干渉除去などに基づいてシステムネットワークの改善のための開発が進められている。５Ｇシステムにおいて、進歩したコーディング変調(ＡＣＭ)としてのハイブリッドＦＳＫ及びＱＡＭ変調(ＦＱＡＭ)及びスライディングウィンドウ重複コーディング(ＳＷＳＣ)、及び進歩したアクセス技術としてのフィルタバンクマルチキャリア(ＦＢＭＣ)、非直交多重アクセス(ＮＯＭＡ)、及びスパース符号多重アクセス(ＳＣＭＡ)が開発された。
【０００３】
人間が情報を生成し消費する、人間中心の接続ネットワークであるインターネットは、事物のような分散されたエンティティが人間の介入なしに情報を交換し処理する事物インターネット(ＩｏＴ)に進化している。クラウドサーバとの接続を通じるビックデータ処理技術とＩｏＴ技術の組み合わせである万物インターネット(ＩｏＥ）が登場した。“感知技術”、“有線/無線通信及びネットワークインフラ構造”、“サービスインターフェース技術”、及び“セキュリティ技術”のような技術要素は、ＩｏＴ実現のために必要であることによって、最近、センサネットワーク、機械対機械(Ｍ２Ｍ)通信、機械タイプ通信(ＭＴＣ)などが研究された。このようなＩｏＴ環境は、接続した事物間に生成されたデータを収集して分析することによって人間生活に新たな価値を生成する知能型インターネット技術サービスを提供できる。ＩｏＴは、既存情報技術(ＩＴ）と多様な産業的アプリケーションの融合及び結合を通じてスマートホーム、スマートビルディング、スマートシティ、スマートカー又はコネクテッドカー、スマートグリッド、ヘルスケア、スマート家電及び進歩した医療サービスを含む多様な分野に適用されることができる。
【０００４】
それによって、５Ｇ通信システムをＩｏＴネットワークに適用するための多様な試みがなされた。例えば、センサネットワーク、機械タイプ通信(ＭＴＣ)、及び機械対機械(Ｍ２Ｍ)通信のような技術がビームフォーミング、ＭＩＭＯ、及びアレイアンテナにより実現され得る。上記したビックデータ処理技術としてのクラウド無線アクセスネットワーク(ＲＡＮ)の適用は、ＩｏＴ技術と５Ｇ技術との間の融合の一例としても見なされることができる。
【０００５】
制限されたスペクトルリソースとユーザーの無線サービス要求事項の急増との間の矛盾が一層大きくなっている。モバイルオペレータは、アンライセンスバンドをライセンスバンドに対する補完として考慮し始めた。したがって、アンライセンスバンドでＬＴＥを展開することに関する研究が課題に載せられる。３ＧＰＰは、アンライセンスバンドでの他の技術が明確に影響を受けないことを前提として、ライセンスバンド及びアンライセンスバンドでの効果的なキャリアアグリゲーションを通じて全体ネットワークのスペクトル利用率を増加させる方法を研究し始めた。図１は、ライセンスバンド及びアンライセンスバンドの共同ネットワークシナリオを概略的に示す。
【０００６】
アンライセンスバンドは、一般的に他の目的、例えば８０２.１１シリーズＷｉＦｉ(Wireless Fidelity)のために割り当てられる。したがって、アンライセンスバンドでは、干渉レベルが固定されないため、ＬＴＥ伝送のサービス品質(ＱｏＳ)を保証することが難しい。しかしながら、アンライセンスバンドは、低いＱｏＳ要求事項でデータを伝送するために今でも使用できる。ここで、アンライセンスバンドで配置されるＬＴＥシステムは、ＬＴＥ-Ｕシステムと称される。アンライセンスバンドで、ＷｉＦｉ又はレーダーのような他の無線システムとＬＴＥ-Ｕシステムとの間の干渉を防止する方法は重要な問題である。クリアチャンネル評価(ＣＣＡ）は、アンライセンスバンドから一般的に採択される衝突防止メカニズムである。一つのステーション(ＳＴＡ）は、信号を伝送する前に無線チャンネルを検出しなければならない。無線チャンネルは、チャンネルがクリアすると検出される場合にのみ信号を伝送するために占有できる。また、ＬＴＥ-Ｕは、他の信号に対する低い干渉を保証するために類似したメカニズムに従う。比較的簡単な方法で、ＬＴＥ-Ｕ装置(基地局又はユーザー端末)は、ＣＣＡ結果により動的にオン/オフされる、すなわちチャンネルがクリアすると検出される場合には信号を伝送し、チャンネルが占有されていると検出される場合には信号を伝送しない。しかしながら、ＬＴＥ-Ｕシステムがフレキシブルな自体適応型伝送、例えば、自体適応型電力制御をサポートできることを考慮すれば、ＬＴＥ-Ｕ装置は、その送信電力を調整して他の信号に対する高い干渉の生成を防ぐことができる。例えば、チャンネルが使用中であると検出される場合、ＬＴＥ-Ｕ装置は、そのアップリンク送信電力を減少させる。このような方法を通じて、ＬＴＥ-Ｕシステムの伝送効率は増加する。ＬＴＥ-Ｕ基地局がＵＥの効果的なスケジューリングを実現するために、関連情報を獲得する方法及びＵＥがアップリンク電力制御を実行する方法は解決しなければならないという緊急な問題であった。
【発明の概要】
【発明が解決しようとする課題】
【０００７】
したがって、上記した従来技術の問題点を解決するために、本発明の目的は、同一の又は異なる無線アクセス技術を使用する隣接装置に対する干渉を防止し、ＵＥのアップリンクスケジューリング効率を増加させることによって、全体ネットワーク効率を増加させるために電力制御方法、電力報告方法、アップリンク送信方法、及び該当ＵＥ及び制御ノードを提供することにある。
【課題を解決するための手段】
【０００８】
上記のような目的を達成するために、本発明の一態様によれば、制御ノードから電力制御表示情報をユーザー端末(ＵＥ)により受信し、電力制御モード又は電力制御メカニズムを獲得するステップと、電力制御モード又は電力制御メカニズムに従ってアンライセンスバンドでのＵＥのアップリンク送信に対する電力制御をＵＥにより実行するステップとを有する電力制御方法が提供される。
【０００９】
一実施形態において、電力制御モードは、制御ノードにより表示された電力制御モードに従うことを示す電力制御モード及びＵＥ自己調整電力制御モードのうちいずれか一つを含む。
【００１０】
一実施形態において、制御ノードにより表示される電力制御モードは、所定の電力制御メカニズムの固有なセットを含み、あるいは制御ノードにより表示される電力制御モードは、少なくとも２セットの電力制御メカニズムのうちいずれか一つを含み、ＵＥ自己調整電力制御モードは少なくとも２セットのＵＥ自己調整電力制御メカニズムのうちいずれか一つを含み、あるいはＵＥ自己調整電力制御モードはＵＥにより送信電力を減少させるか否かを判定するステップを有する。
【００１１】
一実施形態において、電力制御メカニズムは、少なくとも２セットの電力制御メカニズムのうちいずれか一つを含む。
【００１２】
本発明の他の態様によれば、アンライセンスバンドのアップリンク送信電力制御関連情報をＵＥにより報告するステップを有し、アップリンク送信電力制御関連情報は、アンライセンスバンドでＵＥをスケジューリングするために使用される電力報告方法が提供される。
【００１３】
一実施形態では、アップリンク送信電力制御関連情報は、最大送信電力とＵＥ予想送信電力又は前記ＵＥの実際送信電力との間の差と、ＵＥ予想送信電力と制御ノードによりスケジューリングされたＵＥのアップリンク送信電力との間の差と、ＵＥ予想送信電力と、最大送信電力と所定の計算方法によるＵＥのアップリンク送信電力との間の差のうちいずれか一つを含み、ＵＥ予想送信電力は、他の装置に対する干渉を減少するためにＵＥにより検出された他の無線アクセス技術信号のエネルギーレベルに従ってＵＥにより決定されたアップリンク送信電力である。
【００１４】
一実施形態において、アップリンク送信電力制御関連情報は、電力ヘッドルームレポート(ＰＨＲ)メディアアクセス制御制御要素(ＭＡＣ  ＣＥ)により表示される。
【００１５】
一実施形態において、ＵＥは、少なくとも２つのタイプのＰＨＲを報告し、２つのタイプのＰＨＲのうちいずれか一つは、アンライセンスバンドに対して指定され、各々のＰＨＲタイプのＰＨＲ構成パラメータ及び/又はＰＨＲトリガーイベントは独立的に構成され、制御ノードにアンライセンスバンドのアップリンク送信電力制御関連情報をＵＥにより報告するステップは、アンライセンスバンドに対応するＰＨＲ構成パラメータによってアンライセンスバンドのアップリンク送信電力制御関連情報をＵＥにより報告するステップと、アンライセンスバンドに対応するＰＨＲトリガーイベントによってアンライセンスバンドのアップリンク送信電力制御関連情報をＵＥにより報告するステップと、ＰＨＲを報告する場合にＰＨＲのタイプをＵＥにより表示するステップとを有する。
【００１６】
一実施形態では、アップリンク送信電力制御関連情報はＵＥにより推薦された送信電力オフセットであり、送信電力オフセットは、ＵＥにより測定された同一のキャリアでの他の無線技術信号のエネルギーレベルである。
【００１７】
一実施形態において、同一のキャリアでの他の無線技術信号のエネルギーレベルは同一のキャリアでのすべての他の無線技術信号のエネルギーレベル、又は同一のキャリアでの条件を満たす他の無線技術信号のエネルギーレベルを含み、他の無線技術信号のエネルギーレベルは信号エネルギー、信号電力、電力スペクトル又は同一の形態、又は所定のしきい値と比較する他の無線技術信号のエネルギーレベルのオフセットを含む。
【００１８】
一実施形態において、アップリンク送信電力制御関連情報は、ＵＥにより採用される電力制御モード又は電力制御メカニズムである。
【００１９】
一実施形態において、報告がイベントトリガーされる場合、電力制御モードが変更される場合、ＵＥは、アップリンク送信電力制御関連情報を報告する。
【００２０】
一実施形態において、アップリンク送信電力制御関連情報は、ＵＥの実際送信電力と、ＵＥが送信電力を減少させるか否かと、ＵＥにより採用された２セットの電力制御パラメータ及び/又は計算方法のうちいずれか一つを含む。
【００２１】
一実施形態において、ＵＥは、アンライセンスバンドのキャリアの条件を満たす第１の使用可能なサブフレーム又はライセンスバンドのキャリアのアップリンク送信電力制御関連情報を伝送する。
【００２２】
一実施形態において、アップリンク送信電力制御関連情報の報告は周期的又はイベントトリガーされる。
【００２３】
一実施形態において、累積が可能である場合、ｆｃ(ｉ)＝ｆｃ(ｉ-１)＋δｃ(ｉ-Ｋ)によりサービングセルｃに対するサブフレームｉでの伝送のための送信電力制御調整状態変数ｆｃ(ｉ)をＵＥにより計算し、δｃ(ｉ-Ｋ）は、サブフレームｉ-ＫでＵＥにより受信されたＴＰＣコマンドを表し、次の条件１乃至６に対して、
１．ＵＥは、サブフレームｉ-ＫPUSCHで該当ＴＰＣコマンドを受信しない。
２．ＵＥは、ＤＲＸ状態にある。
３．ＴＤＤシステムにおいて、サブフレームｉは、アップリンクサブフレームでない。
４．アンライセンスキャリアｃで、ＵＥは、サブフレームｉでアップリンク信号を伝送しない。
５．アンライセンスキャリアｃで、サブフレームｉは、アップリンクサブフレームでない。
６．アンライセンスキャリアｃで、ＵＥは、サブフレームｉでアップリンク送信のためにスケジューリングされない。
【００２４】
上記条件１，２，３，４のうちいずれか一つが満たされる場合、δｃ＝０、又は
上記条件１，２，３，５のうちいずれか一つが満たされる場合、δｃ＝０、又は
上記条件１，２，３，６のうちいずれか一つが満たされる場合、δｃ＝０、又は
上記条件１，２，３，４，５のうちいずれか一つが満たされる場合、δｃ＝０、又は
上記条件１，２，３，４，６のうちいずれか一つが満たされる場合、δｃ＝０、又は
上記条件１，２，３，５，６のうちいずれか一つが満たされる場合、δｃ＝０、又は
上記条件１，２，３，４，５，６のうちいずれか一つが満たされる場合、δｃ＝０であり、
累積が可能でない場合、ｆｃ(ｉ)＝δｃ(ｉ-Ｋ)によってサービングセルｃに対するサブフレームｉでのＵＥの伝送のための電力制御調整状態変数ｆｃ(ｉ)をＵＥにより計算し、δｃ(ｉ-Ｋ）は、サブフレームｉ-ＫでＵＥにより受信されたＴＰＣコマンドを表し、条件１乃至６に対して、
上記条件１，２，３，４のうちいずれか一つが満たされる場合、ｆｃ(ｉ)＝ｆｃ(ｉ-１)、又は
上記条件１，２，３，５のうちいずれか一つが満たされる場合、ｆｃ(ｉ)＝ｆｃ(ｉ-１)、又は
上記条件１，２，３，６のうちいずれか一つが満たされる場合、ｆｃ(ｉ)＝ｆｃ(ｉ-１)、又は
上記条件１，２，３，４，５のうちいずれか一つが満たされる場合、ｆｃ(ｉ)＝ｆｃ(ｉ-１)、又は
上記条件１，２，３，４，６のうちいずれか一つが満たされる場合、ｆｃ(ｉ)＝ｆｃ(ｉ-１)、又は
上記条件１，２，３，５，６のうちいずれか一つが満たされる場合、ｆｃ(ｉ)＝ｆｃ(ｉ-１)、又は
上記条件１，２，３，４，５，６のうちいずれか一つが満たされる場合、ｆｃ(ｉ)＝ｆｃ(ｉ-１)であり、
上記ＵＥにより報告されたアップリンク送信電力制御関連情報は電力ヘッドルームレポート(ＰＨＲ)であり、ＵＥは計算されたｆｃ(ｉ)によりＰＨＲを報告する。
【００２５】
また、本発明は、ユーザー端末(ＵＥ)最大送信電力に従ってキャリアクリア評価(ＣＣＡ)しきい値をＵＥにより決定するステップと、アンライセンスバンドの同一のキャリアでの他の信号のエネルギーレベルをＵＥにより測定するステップと、検出されたエネルギーがＣＣＡしきい値より高いか否かによってキャリアでのＵＥのアップリンク送信モードをＵＥにより決定するステップとを有するアップリンク送信方法が提供される。
【００２６】
一実施形態では、検出されたエネルギーがＣＣＡしきい値より高いか否かによってキャリアでのＵＥのアップリンク送信モードをＵＥにより決定するステップは、検出されたエネルギーがＣＣＡしきい値より高い場合、ＵＥは、アップリンク信号を伝送せず、又は伝送を延期するステップと、あるいはアップリンク送信電力を調整し、調整したアップリンク送信電力でアップリンク信号を伝送するステップと、そうでない場合には、制御ノードのスケジューリング後にアップリンク信号をＵＥにより伝送するステップを有する。
【００２７】
一実施形態において、上記方法は、アンライセンスバンドでＵＥのアップリンク送信のために制御ノードにより構成されるアップリンク送信電力範囲を受信するステップをさらに有し、アップリンク送信電力を調整するステップは、構成されたアップリンク送信電力範囲内でキャリアでのアップリンク送信電力をＵＥにより調整するステップを有する。
【００２８】
一実施形態において、アップリンク送信電力を調整するステップは、アップリンク送信電力をＸ１に調整するステップを有し、ここで、Ｘ１＝ｍｉｎ{Ｘ２，Ｘ３}であり、Ｘ２は、制御ノードによりスケジューリングされたアップリンク送信電力を示し、Ｘ３は、検出されたエネルギーによりＵＥに従って決定されたアップリンク送信電力を示す。
【００２９】
一実施形態において、上記方法は、Ｘ１がアップリンク送信電力の所定の最小値より低いか否かを判定し、はいである場合、アップリンク信号を伝送せず、そうでない場合には、電力Ｘ１でアップリンク信号を伝送するステップをさらに有する。
１０
【００３０】
一実施形態において、ＵＥ最大送信電力構成情報は、ＵＥ最大送信電力を決定するためのＮ種類の方法のうちいずれか一つを示すために使用されるタイプ表示情報をさらに含み、ここで、Ｎは２以上である。
【００３１】
また、本発明は、ＣＣＡしきい値をＵＥにより獲得し、表示されたＣＣＡしきい値に従ってアップリンク送信のためのＣＣＡしきい値をＵＥにより決定するステップと、アンライセンスバンドのキャリアのエネルギーレベルをＵＥにより測定するステップと、検出されたエネルギーがＣＣＡしきい値より高いか否かに従ってキャリアでのＵＥのアップリンク送信モードをＵＥにより決定するステップと、を有するアップリンク送信方法が提供される。
【００３２】
一実施形態において、ＣＣＡしきい値は制御ノードにより、例えば基地局により準静的に構成される。
【００３３】
一実施形態において、準静的に構成されたＣＣＡしきい値はＲＲＣシグナリング又はＭＡＣシグナリングにより表示される。
【００３４】
一実施形態において、準静的に構成されたＣＣＡしきい値Ｚ１は、Ｙ２より大きくなく、及び/又は準静的に構成されたＣＣＡしきい値Ｚ１はＹ２＋(Ｙ３-ＰCMAX)より大きくなく、あるいは準静的に構成されたＣＣＡしきい値Ｚ１はＹ２＋(Ｙ３-Ｐｃｍａｘ_ｃ)より大きくなく、あるいは準静的に構成されたＣＣＡしきい値Ｚ１はＹ２＋(Ｙ３-Ｐ電力クラス)より大きくない。
【００３５】
一実施形態において、検出されたエネルギーがＣＣＡしきい値より高いか否かによってキャリアでのＵＥのアップリンク送信モードを決定するステップは、検出されたエネルギーがＣＣＡしきい値より高い場合、ＵＥは、アップリンク信号を伝送せず、あるいはアップリンク信号の伝送を延期するステップと、またはアップリンク送信電力を調整し、調整したアップリンク送信電力でアップリンク信号を伝送するステップと、そうでない場合、ＵＥは、制御ノードのスケジューリング後にアップリンク信号を伝送するステップとを有する。
【００３６】
一実施形態において、ＵＥにより決定されたアップリンク送信のためのＣＣＡしきい値は、基地局により構成されたＣＣＡしきい値であるか、あるいは基地局により構成されたＣＣＡしきい値より低い値、すなわち基地局により構成されたＣＣＡしきい値はＵＥにより使用可能なＣＣＡしきい値の最大値と見なされる。最後に使用されたＣＣＡしきい値の決定は、ＵＥの実現によって、地域ポリシーに従ってＵＥにより決定される。
【００３７】
本発明は、電力制御表示モジュール及び通信モジュールを含む制御ノードをさらに提供し、電力制御表示モジュールは電力制御モード又は電力制御メカニズムを表示する電力制御表示情報を生成するように構成され、電力制御モード又は電力制御メカニズムは、アンライセンスバンドでのＵＥのアップリンク送信に対する電力制御を実行するために使用され、通信モジュールはＵＥに電力制御表示情報を伝送するように構成される。
【００３８】
本発明は、通信モジュール及び電力制御モジュールを含むＵＥをまた提供して、通信モジュールは制御ノードから電力制御表示情報を受信するように構成されて、電力制御モジュールは電力制御表示情報から電力制御モードまたは電力制御メカニズムを獲得して、電力制御モードまたは電力制御メカニズムによってアンライセンスバンドでのＵＥのアップリンク送信に対する電力制御を実行するように構成される。
【００３９】
本発明は、報告モジュール及び通信モジュールを含むＵＥをさらに提供し、報告モジュールは、通信モジュールにアンライセンスバンドでのＵＥのアップリンク送信電力制御関連情報を報告するように構成され、通信モジュールは、制御ノードにＵＥのアンライセンスバンドでのＵＥのアップリンク送信電力制御関連情報を報告するように構成される。
【００４０】
本発明は、測定モジュール及び電力制御モジュールを含むＵＥをさらに提供し、測定モジュールは、アンライセンスバンドの同一のキャリアでの干渉信号のエネルギーレベルを測定するように構成され、電力制御モジュールは、ＵＥ最大送信電力によりキャリアクリア評価(ＣＣＡ)しきい値を決定し、検出されたエネルギーがＣＣＡしきい値より高いか否かに従ってキャリアでのＵＥのアップリンク送信モードを決定するように構成される。
【００４１】
本発明は、ＣＣＡしきい値制御モジュール及び通信モジュールを含む制御ノードをさらに提供し、ＣＣＡしきい値制御表示モジュールは、ＣＣＡしきい値を表示するために使用されるＣＣＡしきい値表示情報を生成するように構成され、通信モジュールは、ＵＥにＣＣＡしきい値表示情報を伝送するように構成される。
【００４２】
本発明は、通信モジュール及び電力制御モジュールを含むＵＥをさらに提供し、通信モジュールは、制御ノードからＣＣＡしきい値表示情報を受信するように構成され、電力制御モジュールは、ＣＣＡしきい値表示情報からＣＣＡしきい値を獲得し、ＣＣＡしきい値に従ってアンライセンスバンドでのＵＥのアップリンク送信に対する電力制御を実行するように構成される。
【００４３】
さらに、本発明の他の態様によれば、制御ノードから電力制御表示情報をユーザー端末(ＵＥ)により受信し、送信電力制御(ＴＰＣ)コマンドを獲得するステップと、ＴＰＣコマンドに従ってアンライセンスバンドでのＵＥのアップリンク送信に対する電力制御調整をＵＥにより実行するステップとを有し、累積が可能である場合、ｆｃ(ｉ)＝ｆｃ(ｉ-１)＋δｃ(ｉ-Ｋ)によりサービングセルｃに対するサブフレームｉでの伝送のための送信電力制御調整状態変数ｆｃ(ｉ)をＵＥにより計算し、δｃ(ｉ-Ｋ）は、サブフレームｉ-ＫでＵＥにより受信されたＴＰＣコマンドを表し、次の条件１乃至６に対して、
１．ＵＥは、サブフレームｉ-ＫPUSCHで該当ＴＰＣコマンドを受信しない。
２．ＵＥは、ＤＲＸ状態にある。
３．ＴＤＤシステムにおいて、サブフレームｉは、アップリンクサブフレームでない。
４．アンライセンスキャリアｃで、ＵＥは、サブフレームｉでアップリンク信号を伝送しない。
５．アンライセンスキャリアｃで、サブフレームｉは、アップリンクサブフレームでない。
６．アンライセンスキャリアｃで、ＵＥは、サブフレームｉでアップリンク送信のためにスケジューリングされない。
【００４４】
上記条件１，２，３，４のうちいずれか一つが満たされる場合、δｃ＝０、又は
上記条件１，２，３，５のうちいずれか一つが満たされる場合、δｃ＝０、又は
上記条件１，２，３，６のうちいずれか一つが満たされる場合、δｃ＝０、又は
上記条件１，２，３，４，５のうちいずれか一つが満たされる場合、δｃ＝０、又は
上記条件１，２，３，４，６のうちいずれか一つが満たされる場合、δｃ＝０、又は
上記条件１，２，３，５，６のうちいずれか一つが満たされる場合、δｃ＝０、又は
上記条件１，２，３，４，５，６のうちいずれか一つが満たされる場合、δｃ＝０であり、
累積が可能でない場合、ｆｃ(ｉ)＝δｃ(ｉ-いいＫ)によってサービングセルｃに対するサブフレームｉでのＵＥの伝送のための電力制御調整状態変数ｆｃ(ｉ)をＵＥにより計算し、δｃ(ｉ-Ｋ）は、サブフレームｉ-ＫでＵＥにより受信されたＴＰＣコマンドを表し、条件１乃至６に対して、
上記条件１，２，３，４のうちいずれか一つが満たされる場合、ｆｃ(ｉ)＝ｆｃ(ｉ-１)、あるいは
上記条件１，２，３，５のうちいずれか一つが満たされる場合、ｆｃ(ｉ)＝ｆｃ(ｉ-１)、あるいは
上記条件１，２，３，６のうちいずれか一つが満たされる場合、ｆｃ(ｉ)＝ｆｃ(ｉ-１)、あるいは
上記条件１，２，３，４，５のうちいずれか一つが満たされる場合、ｆｃ(ｉ)＝ｆｃ(ｉ-１)、あるいは
上記条件１，２，３，４，６のうちいずれか一つが満たされる場合、ｆｃ(ｉ)＝ｆｃ(ｉ-１)、あるいは
上記条件１，２，３，５，６のうちいずれか一つが満たされる場合、ｆｃ(ｉ)＝ｆｃ(ｉ-１)、あるいは
上記条件１，２，３，４，５，６のうちいずれか一つが満たされる場合、ｆｃ(ｉ)＝ｆｃ(ｉ-１)である。
【００４５】
アンライセンスバンドで、本発明は、ＵＥの助けで制御ノードによりＵＥに適切な送信電力を割り当て、ＵＥ自体により送信電力を調整することによって同一であり、あるいは異なる無線アクセス技術に基づいて隣接した装置に対する干渉を防止し、ＵＥのアップリンクスケジューリング効率を増加させるため、全体ネットワークの効率を増加させることができる。
【図面の簡単な説明】
【００４６】
【図１】ライセンスバンド及びアンライセンスバンドの共同ネットワークシナリオを示す概略図である。
【図２】本発明の一実施形態による電力制御方法を示すフローチャートである。
【図３】本発明の他の実施形態による電力制御方法を示すフローチャートである。
【図４】本発明のもう一つの実施形態による電力制御方法を示すフローチャートである。
【図５】本発明の一実施形態による電力調整方法を示すフローチャートである。
【図６】本発明の一実施形態による電力制御、調整、及び報告方法を示すフローチャートである。
【図７】本発明の一実施形態による制御ノードの構造を示す概略図である。
【図８】本発明の他の実施形態による制御ノードの構造を示す概略図である。
【図９】本発明の一実施形態によるＵＥの構造を示す概略図である。
【図１０】本発明の他の実施形態によるＵＥの構造を示す概略図である。
【図１１】本発明のまた他の実施形態によるＵＥの構造を示す概略図である。
【図１２】本発明の一実施形態によるアップリンク送信方法を示すフローチャートである。
【図１３】本発明の他の実施形態によるアップリンク送信方法を示すフローチャートである。
【図１４】本発明の一実施形態によるＵＥの構造を示す概略図である。
【発明を実施するための形態】
【００４７】
以下、本発明は、その目的、技術的解決方法及び長所をより明らかにするために実施形態及び添付の図面を参照してより詳細に説明する。
【００４８】
＜第１の実施形態＞
本発明の実施形態は、電力制御方法を提供する。上記方法は、制御ノードから電力制御表示情報をＵＥにより受信し、電力制御モード又は電力制御メカニズムを獲得するステップと、及び電力制御モード又は電力制御メカニズムによってアンライセンスバンドでＵＥのアップリンク送信に対する電力制御をＵＥにより実行するステップとを有する。
【００４９】
制御ノードは、通信中に制御機能を実行するＵＥ又は基地局であり得る。本実施形態において、基地局は、例示的な制御ノードと見なされる。
【００５０】
以下、電力制御表示情報は、２つの異なるケースについて説明される。
【００５１】
第１のケースにおいて、電力制御表示情報は電力制御モードであり得る。電力制御モードは、複数の電力制御モードのうちいずれか一つであり得る。一実施形態では、２つのモードがあり、そのうちの一つは、制御ノードにより表示された電力制御モードに従うように示し、他の一つはＵＥ自己調整電力制御モードである。
【００５２】
ここで、
-  制御ノードにより表示された電力制御モードは、固有な所定の電力制御メカニズムであって、このメカニズムは、既存の電力制御メカニズム又は新しく定義された電力制御メカニズムであり得る。
【００５３】
-  制御ノードにより表示された電力制御モードは、複数の電力制御メカニズムのうちいずれか一つであり得る。例えば、２セットの電力制御パラメータ及び/又は計算方法が定義され、ここで一つのセットの電力制御パラメータ及び計算方法は、既存の電力制御メカニズムと同一であり、他のセットの電力制御パラメータ及び/又は計算方法は新たに定義される。基地局は、シグナリングを通じて利用される電力制御メカニズムのセットを示す。例えば、基地局は、ＵＬグラントを通じてどのセットの電力制御メカニズムが利用されるかを示すことができる。電力制御パラメータは、基地局により構成されるか、あるいは事前に定義される。計算方法は予め定義される。基地局及びＵＥは、電力制御パラメータ及び計算方法に対する同一の知識を有する。
【００５４】
-  ＵＥ自己調整電力制御モードは、ＵＥが独立的に複数の電力制御メカニズムのうちいずれか一つを使用することに決定することである。例えば、一つのセットの電力制御パラメータ及び計算方法は既存の電力制御メカニズムと同一であり、他のセットの電力制御パラメータ及び/又は計算方法は新たに定義される、２セットの電力制御パラメータ及び/又は計算方法が定義される。ＵＥは、どのセットが使用されるかを独立的に決定する。電力制御パラメータは、基地局により構成されたり事前に定義されたりする。計算方法は、予め定義される。電力制御パラメータ及び/又は計算方法の選択は、所定のしきい値に従ってＵＥにより実行され、しきい値は基地局により構成されてＵＥに伝えられ、基地局及びＵＥは、電力制御パラメータ及び/又は計算方法に対する同一の知識を有する。
【００５５】
-  ＵＥ自己調整電力制御モードは、ＵＥが送信電力を減少させるか否かを独立的に判定することであり得る。
【００５６】
電力制御表示情報は、ダウンリンクＲＲＣシグナリング、ダウンリンクＭＡＣシグナリング、又は物理レイヤシグナリングを通じて伝送できる。
【００５７】
ＵＥにより受信された電力制御表示情報が電力制御モード表示情報である場合、
-  図２を参照すると、電力制御モード表示情報が制御ノードにより表示された電力制御モードに従うことを示し、１セットの所定の電力制御メカニズムＡのみが存在する場合、ＵＥは、(２０１乃至２０３に示すように)所定の電力制御メカニズムによりアップリンク送信に対する電力制御を実行する。電力制御モード表示情報がＵＥ自己調整電力制御メカニズムを示す場合、ＵＥは、(２０１，２０２，及び２０４に示すように)アップリンク信号に対する電力制御を実行するために他の装置の検出された信号エネルギーレベルに従って所定の電力制御メカニズムＡ又は電力制御メカニズムＢを独立的に選択する。一実施形態において、ＵＥは、所定のしきい値に従って電力制御メカニズムＡ又はＢを独立的に選択し、電力制御メカニズムＢは、事前に定義され、予め定義されないＵＥ実現方法であり得る。
【００５８】
-  図３を参照すると、電力制御モード表示情報が基地局により表示された電力制御モードに従うことを示し、複数の電力制御メカニズムが存在する場合、ＵＥは、基地局により伝送された各々のＵＬグラントに示した電力制御メカニズムによりアップリンクに対する電力制御を実行する。表示した電力制御メカニズムが電力制御メカニズムＡである場合、ＵＥは、(３０１乃至３０４に示すように)電力制御メカニズムＡによりアップリンク信号に対する電力制御を実行する。表示された電力制御メカニズムが電力制御メカニズムＢである場合、ＵＥは、(３０１乃至３０３、及び３０６に示すように)電力制御メカニズムＢによりアップリンク信号に対する電力制御を実行する。電力制御モード表示情報がＵＥ自己調整モードを表示する場合、ＵＥは、電力制御を実行するために他の装置の検出された信号エネルギーレベルにより所定の電力制御メカニズムＡ又は電力制御メカニズムＣを独立的に選択する。一実施形態において、ＵＥは、(３０１，３０２，及び３０５に示すように)所定のしきい値に従って電力制御メカニズムＡ又はＣを独立的に選択できる。電力制御メカニズムＣは、電力制御メカニズムＢ又は予め定義されないＵＥ実現方法であり得る。
【００５９】
第２のケースにおいて、電力制御表示情報は、電力制御メカニズムであり得る。一実施形態において、一つのセットの電力制御パラメータ及び計算方法は、既存の電力制御メカニズムと同一であり、他のセットの電力制御パラメータ及び/又は計算方法は新たに定義される、２セットの電力制御パラメータ及び/又は計算方法が定義できる。図４に示すように、基地局は、ＵＬグラントを通じてどのセットの電力制御メカニズムが利用されるかを示すことができる。電力制御パラメータは、基地局により構成され、あるいは事前に定義される。計算方法は、予め定義される。基地局及びＵＥは、電力制御パラメータ及び計算方法に対する同一の知識を有する。本実施形態の前半での方法と上記方法との差は、上記方法がシグナリングによりアップリンク電力制御モードを構成しないことである。すなわち、アップリンク電力制御モードは、事前に定義され、制御ノードにより表示された電力制御モードに従い、ＵＥ自己調整電力制御モードは存在しないと仮定することに留意しなければならない。
【００６０】
＜第２の実施形態＞
本発明の実施形態は、電力報告方法を提供する。上記方法は、制御ノードにアンライセンスバンドのアップリンク送信電力制御関連情報をＵＥにより報告するステップと、ＵＥにより報告されたアップリンク送信電力制御関連情報によってアンライセンスバンドでＵＥを制御ノードによりスケジューリングするステップと、を有する。例えば、制御ノードは、アップリンク送信電力制御関連情報に基づいて次にアンライセンスバンドでＵＥをスケジューリングするための送信電力、変調及び符号化方式(ＭＣＳ）及び物理的リソースブロック(ＰＲＢ）を割り当てることができる。
【００６１】
制御ノードは、通信の際に制御機能を遂行するＵＥ又は基地局であり得る。本実施形態において、基地局は、例示的な制御ノードと見なされる。
【００６２】
以下、アップリンク送信電力制御関連情報のいくつかのケースが記述される。
【００６３】
第１のケースにおいて、アップリンク送信電力制御関連情報は次のとおりである。
【００６４】
１)最大送信電力とＵＥ予想送信電力又はＵＥの実際のアップリンク送信電力との間の差。最大送信電力Ｐｃｍａｘ_ｃはＴＳ３６.２１３のセクション５.１でのＰｃｍａｘ_ｃのように定義される。ＵＥがそれ自体で送信電力を減少させる場合、実際のアップリンク送信電力は、減少したアップリンク送信電力である。ＵＥ予想送信電力は、他の装置に対する干渉を減少させるために検出された他の装置のエネルギーによりＵＥにより決定されたアップリンク送信電力である。
【００６５】
・  アップリンク送信電力制御関連情報は、メディアアクセス制御制御要素(ＭＡＣ  ＣＥ)により表示され得る。一実施形態において、アップリンク送信電力制御関連情報は、電力ヘッドルームレポート(ＰＨＲ)ＭＡＣ  ＣＥにより表示できる。アップリンク送信電力制御関連情報は、ＲＲＣシグナリング又は物理レイヤシグナリングによっても表示できる。
【００６６】
・  基地局は、既存のＰＨＲ及び新たに定義されたＰＨＲを含み、ＵＥに対する多様な種類のＰＨＲを構成し、あるいは予め定義することができる。既存のＰＨＲと新たに定義されたＰＨＲが両方とも報告される場合、一つのＰｃｍａｘ_ｃのみを報告することが可能である。
【００６７】
２）ＵＥ自己制御予想送信電力Ｐｃｍａｘ_ａと基地局によりスケジューリングされたＵＥアップリンク送信電力との間の差。ＵＥ自己制御予想送信電力は、他の装置に対する干渉を減少させるために検出された他の装置のエネルギーに従ってＵＥにより決定される最大アップリンク送信電力であり得る。
【００６８】
・  アップリンク送信電力制御関連情報は、ＭＡＣＣＥにより生成できる。一実施形態において、アップリンク送信電力制御関連情報は、ＰＨＲ  ＭＡＣ  ＣＥにより表示できる。アップリンク送信電力制御関連情報は、ＲＲＣシグナリング又は物理レイヤシグナリングによっても表示できる。
【００６９】
・  基地局は、既存のＰＨＲ及び新たに定義されたＰＨＲを含み、ＵＥに対する多様な種類のＰＨＲを構成し、あるいは予め定義することができる。既存のＰＨＲと新たに定義されたＰＨＲが両方とも報告される場合、Ｐｃｍａｘ_ｃ及びＰｃｍａｘ_ａは各々報告される。
【００７０】
３）ＵＥ自己制御予想送信電力Ｐｃｍａｘ_ａ。ＵＥ自己制御予想送信電力は、他の装置に対する干渉を減少させるために検出された他の装置のエネルギーに従ってＵＥにより決定された最大アップリンク送信電力であり得る。
【００７１】
・  アップリンク送信電力制御関連情報は、ＭＡＣ  ＣＥにより表示され得る。一実施形態において、アップリンク送信電力制御関連情報は、ＰＨＲ  ＭＡＣ  ＣＥにより表示できる。アップリンク送信電力制御関連情報は、ＲＲＣシグナリング又は物理レイヤシグナリングによっても表示できる。
【００７２】
４）最大送信電力と所定の計算方法により獲得したＵＥアップリンク送信電力との間の差。最大送信電力Ｐｃｍａｘ_ｃは、ＴＳ３６．２１３のセクション５.１でのＰｃｍａｘ_ｃと同様に定義される。所定の計算方法は、予め定義された計算公式、予め定義されたパラメータ構成であって、基地局及びＵＥは、所定の計算方法に関する同一の知識を有する。例えば、ＵＥアップリンク送信電力は、スケジューリング情報と無関係なパラメータを含むと定義できる。
【００７３】
【数１】
0006732291.tif 000002
【００７４】
・  アップリンク送信電力制御関連情報は、ＭＡＣＣＥにより生成できる。一実施形態において、アップリンク送信電力制御関連情報は、ＰＨＲ  ＭＡＣ  ＣＥにより表示できる。アップリンク送信電力制御関連情報は、ＲＲＣシグナリング又は物理レイヤシグナリングによっても表示できる。
【００７５】
アップリンク送信電力制御関連情報の報告は、周期的及び/又はイベントトリガーされ得る。
【００７６】
アップリンク送信電力制御関連情報は、アンライセンスバンドのキャリアで条件を満たす第一に利用可能なアップリンクサブフレーム、またはライセンスバンドのキャリアで伝送できる。
【００７７】
-  アップリンク送信電力制御関連情報(すなわち、電力情報)がＰＨＲ  ＭＡＣ  ＣＥにより表示される場合、ＵＥは、少なくとも２つのタイプのＰＨＲを報告でき、少なくとも一つのＰＨＲタイプは、アンライセンスバンドに対するＰＨＲレポートに対応する。例えば、ライセンスバンドのキャリアのＰＨＲは、先行技術と同様に報告でき、アンライセンスバンドのキャリアのＰＨＲは、新たに定義されたＰＨＲとして報告される。同時に、同一のキャリアで既存のＰＨＲと新たに定義されたＰＨＲが報告することも可能である。
【００７８】
ＵＥにより報告されたＰＨＲのタイプは、システムにより定義できる。例えば、既存のＰＨＲのみがライセンスバンドのキャリアで報告されるか、新たに定義されたＰＨＲのみがアンライセンスバンドのキャリアで報告されるか、あるいは既存のＰＨＲと新たに定義されたＰＨＲが両方ともアンライセンスバンドのキャリアで報告される。
【００７９】
ＵＥにより報告されたＰＨＲのタイプは、基地局により構成され得る。
【００８０】
基地局は、各タイプのＰＨＲに対してＰＨＲ構成パラメータ及び/又はＰＨＲトリガーイベントを独立的に構成できる。ＵＥは、アンライセンスバンドに対応するＰＨＲ構成パラメータ及び/又はＰＨＲトリガーイベントに従ってアンライセンスバンドのアップリンク送信電力制御関連情報を報告する。例えば、従来のＰＨＲは、ＰＨＲ構成パラメータ１を使用し、新たに定義されたＰＨＲはＰＨＲ構成パラメータ２を使用する。従来のＰＨＲを報告する場合、ＵＥは、ＰＨＲ構成パラメータ１により報告する一方で、新たに定義されたＰＨＲを報告する場合、ＵＥはＰＨＲ構成パラメータ２により報告する。特に、
【００８１】
・  電力情報に対する独立的なＰＨＲ構成パラメータ、例えば、ｐｅｒｉｏｄｉｃＰＨＲ-Ｔｉｍｅｒ、ｐｒｏｈｉｔ-Ｔｉｍｅｒ、ｄｌ-ＰａｔｈｌｏｓｓＣｈａｎｇｅなどを構成することが可能である。
【００８２】
・  電力情報に対する独立的なＰＨＲトリガーイベントを構成することが可能である。例えば、トリガーイベントは、ＸｄＢを超えるＵＥ自己制御予想送信電力の変化、またはＸｄＢを超えるＵＥにより検出された他の装置の信号エネルギーレベルの変化であり得る。ＵＥにより検出された他の装置の信号エネルギーレベルは、信号エネルギー、信号電力、信号電力スペクトル又は他の同等の形態であり得る。例えば、ＵＥが時間ｎ１でＰＨＲを報告する場合、検出された他の装置のエネルギーレベルは、Ｙ１ｄＢｍ/ＭＨｚである。時間ｎ２で、検出された他の装置の信号エネルギーレベルは、Ｙ２ｄＢｍ/ＭＨｚである。Ｙ２-Ｙ１＞Ｘである場合、トリガー条件が満たされると見なされ、ＵＥは、条件を満たす最も最近の利用可能なアップリンクサブフレームで、又は時間ｎ２で報告する。
【００８３】
・  ＵＥ自己制御予想送信電力は、他の装置に対する干渉を減少させるために、検出された他の装置のエネルギーレベルに従ってＵＥにより決定された最大アップリンク送信電力であり得る。例えば、ＵＥにより検出された他の装置の信号エネルギーレベルがＹ１ｄＢｍである場合、ＵＥ自己制御予想送信電力はＹ１ｄＢｍより小さい。例えば、ＵＥにより検出された他の装置の信号エネルギーレベルがＹ１ｄＢｍである場合、ＵＥ自己制御予想送信電力はＹ２＋Ｙ３-Ｙ１であって、ここでＹ２及びＹ３は、アンライセンスバンドで他の無線アクセス技術との共存を実現するための所定のパラメータである。例えば、Ｙ２＝-７３ｄＢｍ/ＭＨｚ、Ｙ３＝２３である。ＵＥにより検出された他の装置の信号エネルギーレベルがＹ１＝-７０ｄＢｍ/ＭＨｚである場合、ＵＥ自己制御予想送信電力は２０ｄＢｍである。
【００８４】
・  ＰＨＲのタイプは、ＰＨＲが報告される場合に表示される。
【００８５】
-  アップリンク送信電力制御関連情報(すなわち、電力情報)が他のシグナリングにより表示される場合、
【００８６】
・  基地局は、電力情報に関する報告周期性及び/又はイベントトリガー報告パラメータ、例えばｐｅｒｉｏｄｉｃＸ-Ｔｉｍｅｒ、ｐｒｏｈｉｔＸ-Ｔｉｍｅｒ、ｄｌ-ＰａｔｈｌｏｓｓＣｈａｎｇｅ又はｕｌ-ｐｏwｅｒＣｈａｎｇｅなどを構成できる。
【００８７】
・  トリガーイベントは、電力情報に対して構成できる。例えば、トリガーイベントは、ＸｄＢを超えるＵＥ自己制御予想送信電力の変化、又はＸｄＢを超えるＵＥにより検出された他の装置の信号エネルギーレベルの変化であり得る。ＵＥにより検出された他の装置の信号エネルギーレベルは、信号エネルギー、信号電力、信号電力スペクトルまたは他の同等の形態であり得る。ＵＥ自己制御予想送信電力は、他の装置に対する干渉を減少させるために、検出された他の装置のエネルギーによってＵＥにより決定された最大アップリンク送信電力であり得る。
【００８８】
第２の状況で、アップリンク送信電力制御関連情報は、次のとおりである。
【００８９】
-  ＵＥにより推奨される送信電力オフセット。送信電力オフセットは、ＵＥによって測定されるキャリアでの他の無線技術の信号エネルギーレベル、例えばＷｉＦｉ信号のエネルギーレベルであり得る。ＵＥが異なるＷｉＦｉ信号を区別する場合、ＵＥは、異なるＷｉＦｉ信号のエネルギーレベルを各々報告できる。他の無線技術のエネルギーレベルは、信号エネルギー、信号電力、信号電力スペクトルまたは他の同等の形態、又は所定のしきい値と他の無線技術の信号エネルギーレベルとの間のオフセットであり得る。例えば、他の無線技術の信号エネルギーレベルＹ１ｄＢｍ/ＭＨｚ、又はＹ１ｄＢｍ、又はＹ１-Ｙ２を報告でき、ここでＹ２は、所定のしきい値、例えば-７３ｄＢｍ/ＭＨｚである。ＵＥは、予め定められた規則、例えば報告されるＷｉＦｉ信号の最大数であるしきい値に従って要求事項を満たすＷｉＦｉ信号のエネルギーレベルを報告するか、あるいはすべての検出されたＷｉＦｉ信号のエネルギーレベルを報告する。
【００９０】
・  しきい値が非常に小さい値、例えば負の無限大である場合、報告される情報は、ＷｉＦｉ信号が検出されるか否かを表示できる。
【００９１】
・  報告されるＷｉＦｉ信号の最大数が１である場合、報告された情報は、最も高い干渉レベルを有するＷｉＦｉ信号のエネルギーレベルを表示できる。
【００９２】
・  一実施形態において、アップリンク送信電力制御関連情報は、ＲＲＣシグナリングにより表示できる。アップリンク送信電力制御関連情報は、ＭＡＣシグナリング又は物理レイヤシグナリングによっても表示できる。
【００９３】
・  アップリンク送信電力制御関連情報は、アンライセンスバンドのキャリアで条件を満たす第一に利用可能なアップリンクサブフレームで伝送され、あるいはライセンスバンドのキャリアで伝送され得る。
【００９４】
・  アップリンク送信電力制御関連情報の報告は、周期的又はイベントトリガーできる。
【００９５】
第３の状況で、アップリンク送信電力制御関連情報は、次のとおりである。
【００９６】
-  ＵＥがキャリアでの他の無線技術信号に対する干渉を避けるために電力を減少させる確率及び/又は電力減少の分布。一実施形態において、ＵＥは、観測時間内での送信電力減少の累積分布関数(ＣＤＦ)又は送信電力を減少させる確率を報告できる。送信電力が減少する時間インスタンスを報告するか、あるいは確率値を報告することができる。例えば、観測期間はＸｍｓであり、各々のＹｍｓは観測時間の最小単位として見なされる。電力が観測時間の各々の最小単位で減少するか否かが判定される。値１は、電力が減少することを意味し、値０は、電力が減少しないことを意味する。ＵＥは、長さ[Ｘ/Ｙ]のビットシーケンスを生成し、それぞれのビットは、観測時間の一つの最小単位内での電力状況に対応する。一例として、ＵＥは、それぞれの送信電力に対応する確率を報告し、例えば、所定のステップで送信電力の減少を数値化してそれぞれの減少比率を計算できる。
【００９７】
-  基地局にＵＥにより推奨されるスケジューリング時間パターン。一例として、ＵＥは、基地局が通常電力でＵＥのアップリンク送信をスケジューリングできるサブフレーム及び基地局がより低い電力でＵＥのアップリンク送信をスケジューリングする必要があるサブフレームを示すために推奨されるスケジューリング時間パターンを報告する。言い換えると、スケジューリング時間パターンは、ＵＥのアップリンク送信が減少する電力でスケジューリングされるサブフレーム及び通常電力でスケジューリングされるサブフレームを示す。例えば、観測期間がＸｍｓである場合、ＵＥは、長さＸのビットシーケンスを生成し、各々のビットは値０又は１で示される。基地局が通常電力でＵＥのアップリンク送信をスケジューリングする場合、ビット値は１である。基地局が通常電力でＵＥのアップリンク送信をスケジューリングする必要がある場合、ビット値は０である。
【００９８】
-  アップリンク送信電力制御関連情報の報告は、周期的であり、及び/又はイベントトリガーされ得る。基地局は、情報に対する周期的レポート及び/又はイベントトリガーレポートパラメータ、例えばｐｅｒｉｏｄｉｃＸ-Ｔｉｍｅｒ、ｐｒｏｈｉｔＸ-Ｔｉｍｅｒ、ｕｌ-ｐｏｗｅｒＣｈａｎｇｅ又はｉｎｔｅｒｆｅｒｅｎｃｅ-ｐｏｗｅｒＣｈａｎｇｅなどを構成できる。基地局は、電力情報に対するトリガーイベントを構成できる。例えば、トリガーイベントは、ＸｄＢを超えるＵＥにより検出された他の装置の信号エネルギーレベルの変化、又はＸｄＢを超えるＵＥ予想減少送信電力の変化であり得る。ＵＥにより検出された他の装置の信号エネルギーレベルは、信号エネルギー、信号電力、信号電力スペクトル又は他の同等の形態であり得る。ＵＥ予想減少送信電力は、他の装置に対する干渉を減少させるために検出された他の装置のエネルギーに従ってＵＥにより決定された減少するアップリンク送信電力であり得る。
【００９９】
-  アップリンク送信電力制御関連情報は、ライセンスバンドのキャリアで伝送され、アンライセンスバンドのキャリアで条件を満たす第一に利用可能なアップリンクサブフレームで伝送され得る。
【０１００】
-  一実施形態において、アップリンク送信電力制御関連情報は、ＲＲＣシグナリングにより示される。アップリンク送信電力制御関連情報は、ＭＡＣシグナリング又は物理レイヤシグナリングによっても生成され得る。
【０１０１】
第４のケースにおいて、アップリンク送信電力制御関連情報は次のとおりである。
【０１０２】
-  ＵＥにより採用された電力制御モード又は電力制御メカニズム。電力制御モードは、複数の電力制御モードのうち一つであり得る。一実施形態において、２つのモードが存在する。一つは、制御ノードにより表示された電力制御モードに従う。他の一つは、ＵＥ自己調整電力制御モードである。
【０１０３】
-  報告情報は、イベントトリガーできる。例えば、電力制御モードが変更される場合、ＵＥが報告する。
【０１０４】
-  アップリンク送信電力制御関連情報は、ライセンスバンドのキャリアで伝送され、アンライセンスバンドのキャリアで条件を満たす第一に利用可能なアップリンクサブフレームで伝送され得る。
【０１０５】
-  一実施形態において、アップリンク送信電力制御関連情報は、ＲＲＣシグナリングにより示される。アップリンク送信電力制御関連情報は、ＭＡＣシグナリング又は物理レイヤシグナリングによっても生成され得る。
【０１０６】
第５のケースにおいて、アップリンク送信電力制御関連情報は次のとおりである。
【０１０７】
-  ＵＥの実際送信電力。基地局によりスケジューリングされたＵＥアップリンク送信電力と実際送信電力との間の数値化されたオフセット、すなわち電力減少値であり、あるいはＵＥの数値化された実際送信電力であり得る。
【０１０８】
-  ＵＥが送信電力を減少させるか否か、すなわち他の無線技術装置に対する干渉を減少させるためにＵＥが送信電力を減少させるか、あるいは基地局によりスケジューリングされたＵＥアップリンク送信電力により伝送するか。
【０１０９】
-  ＵＥにより採用された複数セットの電力制御パラメータ及び/又は計算方法の一つ。複数セットの電力制御及び/又は計算方法は、事前に基地局により構成される。
【０１１０】
-  アップリンク送信電力制御関連情報は、ＰＵＳＣＨ、ＳＲＳ、又はＰＵＣＣＨのアップリンク信号送信電力状況であり得る。
【０１１１】
-  アップリンク送信電力制御関連情報の報告は、周期的であり、あるいはイベントトリガーされ得る。
【０１１２】
-  アップリンク送信電力制御関連情報は、ライセンスバンドのキャリアで伝送され、あるいはアンライセンスバンドのキャリアで条件を満たす第一に利用可能なアップリンクサブフレームで伝送できる。
【０１１３】
・  一実施形態において、アップリンク送信電力制御関連情報は、ＲＲＣシグナリングにより示される。アップリンク送信電力制御関連情報は、ＭＡＣシグナリング又は物理レイヤシグナリングによっても示される。
【０１１４】
・  物理レイヤシグナリングにより示される場合、これは、ＰＵＣＣＨ又はＰＵＳＣＨにより搬送され、ＰＵＣＣＨのリソースは、上位レイヤにより構成される。
【０１１５】
・  物理レイヤシグナリングにより示される場合、これは、異なるプリアンブルを採用し、例えば復調基準信号に＋１又は-１を掛け、あるいは異なるシーケンスを採用して表すことができる。
【０１１６】
＜第３の実施形態＞
本発明の実施形態は、ＵＥ最大送信電力によってＣＣＡしきい値をＵＥにより決定するステップと、アンライセンスバンドの同一のキャリアでの干渉信号のエネルギーレベルを検出するステップと、検出されたエネルギーがＣＣＡしきい値より高いか否かに基づいてキャリアでのＵＥのアップリンク送信モードを決定するステップとを有するアップリンク送信方法について説明する。
【０１１７】
干渉信号は、他の無線アクセス技術を使用する装置の信号、例えばＷｉＦｉ信号であるか、あるいは同一の無線アクセス技術を使用する他の装置の信号、例えば同一のオペレータ又は異なるオペレータのＬＴＥ-Ｕ装置の信号であり得る。
【０１１８】
一つのアップリンク送信モードにおいて、検出されたエネルギーがＣＣＡしきい値より高い場合、ＵＥは、アップリンク信号を伝送せず、あるいはアップリンク信号の伝送を延期する。検出されたエネルギーがＣＣＡしきい値以下である場合、ＵＥは、制御ノードのスケジューリング後にアップリンク信号を伝送する。このような伝送方式は、ＬＢＴ(Listen Before Talk)方式と称される。
【０１１９】
他のアップリンク送信モードにおいて、検出されたエネルギーがＣＣＡしきい値より高い場合、ＵＥは、送信電力を調整し、調整したアップリンク送信電力でアップリンク信号を伝送する。検出されたエネルギーがＣＣＡしきい値以下である場合、ＵＥは、制御ノードのスケジューリング後にアップリンク信号を伝送する。アップリンク送信電力を調整する場合、次のいくつかの解決方法がある。
【０１２０】
第１の解決方法では、制御ノードは、ＵＥのアップリンク送信電力に対する最小値及び最大値を構成できる。したがって、アップリンク送信電力を決定する場合、ＵＥは、アップリンク送信電力の構成された範囲内でそのアップリンク送信電力を調整するか否かを判定できる。特に、検出されたエネルギーがＣＣＡしきい値より高い場合、ＵＥは、構成されたアップリンク送信電力範囲内でキャリアでのアップリンク送信電力を調整し、そうでない場合、ＵＥは、制御ノードによりスケジューリングされたアップリンク送信電力によってキャリアで伝送する。
【０１２１】
第２の解決方法において、(図５の５０１，５０２，５０４に示すように)アップリンク送信電力を調整して電力Ｘ１で伝送し、ここでＸ１＝ｍｉｎ{Ｘ２，Ｘ３}であり、Ｘ２は、制御ノードによりスケジューリングされたアップリンク送信電力であり、Ｘ３は他の装置の検出された信号エネルギーレベルに従ってＵＥにより決定されたアップリンク送信電力である。例えば、Ｘ３＝Ｙ２＋Ｙ３-Ｙ１であり、ここでＹ２、Ｙ３は、アンライセンスバンドでの他の無線アクセス技術装置とＵＥの共存を実現するための所定のパラメータである。制御ノードＸ２によりスケジューリングされたアップリンク送信電力がＸ３より小さい場合、これは、ＵＥがアップリンク送信電力を調整せず、伝送が制御ノードによりスケジューリングされたアップリンク送信電力により実行されることを示すことに留意しなければならない。図５のステップ５０１、５０２、及び５０３は、検出されたエネルギーＹ１＞Ｚ１である場合、すなわち、上記“第１のアップリンク送信モード”である場合、ＵＥがアップリンク送信を断念又は延期する状況を示す。
【０１２２】
第３の解決方法において、Ｘ１は、第２の解決方法を採用して計算され、Ｘ１は、アップリンク送信電力の所定の最小値Ｘと比較され、Ｘ１＜Ｘである場合、アップリンク信号は伝送されず、そうでない場合、アップリンク信号は、電力Ｘ１で伝送される。
【０１２３】
以下、本発明の実施形態は、図１２を参照して説明される。
【０１２４】
ステップ１２０１において、ＵＥは、ＵＥ最大送信電力構成情報を獲得する。
【０１２５】
ＵＥ最大送信電力構成情報は、アンライセンスバンドでの他の装置の信号エネルギーレベルを検出する場合にキャリアクリア評価(ＣＣＡ)能力を有し、アンライセンスバンドでオペレーティングするＵＥにより言及される最大送信電力を含むことができる。
【０１２６】
一実施形態において、ＵＥ最大送信電力はＹで表すと仮定する場合、Ｙの値は、次の方法によって決定できる。
【０１２７】
（１）構成されたＵＥ最大送信電力は、ＰＣＭＡＸ、すなわち、ＵＥの全体構成された最大出力電力であり得る。ＵＥが一つのキャリアのみで伝送する場合、ＰＣＭＡＸは、このキャリアでの送信電力を制限するために使用される。ＵＥが複数のキャリアで伝送する場合、ＰＣＭＡＸは、同時伝送を有するキャリアの全体送信電力を制限するために使用される。例えば、基地局は、ＵＥに対してＭ個のキャリアを構成し、ここでＮ(Ｎ≦Ｍ)個のキャリアが活性化される。時間ｎ１で、ＵＥは、同時にＬ１(Ｌ１≦Ｎ)個のキャリアでアップリンク送信を有する。このとき、Ｌ１個のキャリアでのＵＥの全体送信電力は、ＰＣＭＡＸより小さいか、あるいは等しくなければならない。
【０１２８】
（２）キャリアｃでのアップリンク送信である場合、構成されたＵＥ最大送信電力は、最大送信電力Ｐｃｍｘ_ｃ、すなわち、キャリアｃ(又はサービングセルｃ)でのＵＥ最大送信電力であり得る。
【０１２９】
（３）構成されたＵＥ最大送信電力は、サービングセル最大送信電力Ｐｃｍａｘ_ｇｒｏｕｐｘ、すなわちキャリアのグループでのＵＥの最大全体送信電力であり得る。どのキャリアがサービングセルグループに含まれるかは予め定義できる。例えば、アンライセンスバンドでのキャリア及びライセンスバンドでのキャリアは、異なるサービングセルグループに属する。あるいは、これは、制御ノードにより、例えば明示的又は暗示的上位レイヤシグナリングを通じて基地局により構成できる。
【０１３０】
一つの実施形態において、ライセンスバンドでのすべてのキャリアは、一つのグループｇ１に含まれ、アンライセンスバンドでのすべてのキャリアはグループｇ２に含まれる。これら２個のサービングセルグループでＵＥの全体送信電力は、各々Ｐｃｍａｘ_ｇｒｏｕｐｘ１及びＰｃｍａｘ_ｇｒｏｕｐｘ２である。
【０１３１】
他の実施形態において、アンライセンスバンドでのキャリアは、複数のグループにさらに分けられる。例えば、キャリア１及びキャリア２は、隣接したキャリアであるため、グループｇ１に分類できる。キャリア３は、キャリア１及びキャリア２と隣接しないため、個別的にグループｇ２に含まれる。
【０１３２】
本発明は、すべての活性化されたキャリア又はＵＥに対して基地局により構成されたすべてのキャリアが同一のグループに属しなければならないと制限するものではない。一部キャリアをグループに分けること、例えばアンライセンスバンドでキャリアを一つ以上のＰｃｍａｘ_ｇｒｏｕｐｘに各々対応する一つ以上のグループに分けることが可能である。
【０１３３】
(４)構成されたＵＥ最大送信電力は、基地局によりスケジューリングされたＵＥのアップリンク送信電力であり得る。例えば、基地局によりスケジューリングされたＵＥのアップリンク送信電力は、ＴＳ３６．２１３のセクション５.１の式に従って決定できる。
【０１３４】
(５)構成されたＵＥ最大送信電力は、ＵＥの電力クラスであり得る。例えば、最大送信電力は、ＴＳ３６.１０１のセクション６．２．２での電力クラス又は新たに定義された電力クラスに従って決定できる。このような状況で、ＵＥは、それ自体で電力クラスを決定してＵＥ最大送信電力を決定できる。基地局は、最大送信電力を明示的に構成するために追加シグナリングを伝送する必要がない。この方法を除き、上記方法(１)乃至(４)及び次の方法(６)及び(７）を含む他の方法は、制御ノードの構成を必要とする。
【０１３５】
(６)構成されたＵＥ最大送信電力は、予め定義された規則に従ってＣＣＡ結果に基づいてＵＥにより獲得した結果である。例えば、ＵＥ最大送信電力Ｙは、ＵＥのＣＣＡ結果を含む関数Ｙ＝Ｙ２＋Ｙ３-Ｙ１により決定される。Ｙ２及びＹ３は、アンライセンスバンドでの他の無線アクセス技術装置との共存を実現するための所定のパラメータである。例えば、Ｙ２＝-７３ｄＢｍ/ＭＨｚ、Ｙ３＝２３であり、Ｙ１は、他の装置の検出された信号エネルギーレベルである。例えば、キャリアＣでのＣＣＡを通じて、-Ｙ１＝-７０ｄＢｍ/ＭＨｚが得られる。したがって、最大送信電力Ｙ＝-７３＋２３＋７０＝２０ｄＢｍである。
【０１３６】
(７)構成されたＵＥ最大送信電力は、制御ノードにより構成され、あるいは事前に定義されたオフセット及び上記方法(１)乃至(６)のうちいずれか一つに従って決定さたＵＥ最大送信電力により決定できる。ＵＥ最大送信電力がＺであり、したがってＺ＝Ｙ＋Ｏであると仮定する。例えば、最大送信電力Ｚは、(３）のＰｃｍａｘ_ｇｒｏｕｐｘ及び構成されたオフセット、すなわちＺ＝Ｐｃｍａｘ_ｇｒｏｕｐｘ＋Ｏによって決定され得る。
【０１３７】
(８)構成されたＵＥ最大送信電力は、単にＣＣＡしきい値を決定するために基地局により構成された最大送信電力値であり得る。
【０１３８】
一実施形態において、ＵＥ最大送信電力構成情報は、独立的なシグナリング、例えば上記方法(８)での新たに定義されたシグナリングにより示され、あるいは他の既存シグナリングにより、例えば上記方法(２)により示され、ＵＥ最大送信電力が最大送信電力Ｐｃｍａｘ_ｃであると定義される場合、ＵＥは、最大送信電力がキャリアでの最大送信電力であることを示し、あるいは最大送信電力を構成するための追加シグナリングなしにＰｃｍａｘ_ｃを構成する情報を受信する場合、ＵＥ最大送信電力を決定できる。もう一つの例としては、上記方法(４)によると、ＵＥ最大送信電力が基地局によりスケジューリングされたＵＥのアップリンク送信電力として定義される場合、ＵＥは、最大送信電力が基地局によりスケジューリングされるＵＥのアップリンク送信電力であることを示し、あるいは最大送信電力を構成するための追加シグナリングなしにアップリンクスケジューリングシグナリングを受信することによって最大送信電力を決定できる。
【０１３９】
一実施形態において、ＵＥ最大送信電力を決定するための方法は、事前に定義されるか、あるいは構成可能である。構成可能な特徴は、次の事項を含む。ＵＥ最大送信電力構成情報は、ＵＥ最大送信電力を決定するための複数の方法のうち一つを示すためのタイプインジケータをさらに含むことができる。例えば、ＵＥ最大送信電力を決定するための２つの方法、例えば上記方法(３)及び(４)が定義される。タイプインジケータは、ＵＥ最大送信電力が方法(３)又は(４)に基づいて決定されることを示すことができる。タイプインジケータは、ＵＥ特定であり、例えば異なるＵＥは、異なる方法を使用するように表示できる。もう一つの例として、一部ＵＥは、最大送信電力を決定するための固定した所定の方法を使用する一方で、他の一部ＵＥは、タイプインジケータによって最大送信電力を決定するための方法を決定できる。
【０１４０】
ステップ１２０２において、ステップ１２０１で決定された最大送信電力に基づき、ＵＥは、所定の値に従ってＣＣＡしきい値を計算する。
【０１４１】
所定の規則は、少なくともＵＥ最大送信電力を含む関数であり得る。例えば、ＣＣＡしきい値Ｚ１＝Ｙ２＋Ｙ３-Ｙである。Ｙ２＝-７３ｄＢｍ/ＭＨｚ、Ｙ３＝２３、Ｙ＝２０であり、ステップ１２０１の方法(３)でのＵＥ最大送信電力である。したがって、しきい値Ｚ１＝-７０ｄＢｍ/ＭＨｚである。他の例として、Ｚ１＝Ｙ２＋Ｙ３-(Ｙ＋Ｏ)であり、ここでＹ２＝-８２ｄＢｍ/ＭＨｚ、Ｙ３＝２３、Ｙ＝２３であり、ステップ１２０１の方法(１)での最大送信電力であり、Ｏ＝３ｄＢであり、ステップ１２０１の方法(７)でのオフセットであるので、しきい値Ｚ１＝-８５ｄＢｍ/ＭＨｚである。
【０１４２】
ＵＥは、ＣＡＡしきい値を計算するためのパラメータが変更される場合にのみＣＣＡしきい値を再計算できる。例えば、ステップ１２０１で決定された最大送信電力が上位レイヤシグナリングにより準静的に示される場合、ＵＥは、上位レイヤ準静的表示が変更される場合にのみ、ＣＣＡしきい値を再計算する必要がある。例えば、ステップ１２０１の方法(７)で決定された最大送信電力が各々のＣＣＡにより獲得した他の装置の信号エネルギーレベルにより決定される場合、ＵＥは、ＣＣＡを実行する度にＣＣＡしきい値を再計算する必要がある。もう一つの例として、ステップ１２０１の方法(５)で最大送信電力が毎回基地局によりスケジューリングされるＵＥのアップリンク送信電力により決定される場合、ＵＥは、各々の伝送前にＣＣＡしきい値を再計算する必要がある。
【０１４３】
ステップ１２０３において、ＵＥは、アンライセンスバンドの同一のキャリアでのＣＣＡを実行し、検出された干渉信号のエネルギーレベルがステップ１２０２で決定されたＣＣＡしきい値より高いか否かを判定し、判定結果によってキャリアでのＵＥのアップリンク送信モードを決定する。上記したように、検出された値(すなわち、干渉信号のエネルギーレベル）がＣＣＡしきい値以下、すなわちＹ１≦Ｚ１である場合、ＵＥは、基地局のスケジューリング後に信号を伝送する。検出された値がＣＣＡしきい値より高い場合、すなわちＹ１＞Ｚ１である場合、ＵＥは、信号を伝送せず、あるいは伝送を延期し、あるいはアップリンク送信電力を調整し、調整したアップリンク送信電力でアップリンク信号を伝送する。
【０１４４】
一実施形態において、検出された値がＣＣＡしきい値より高い場合、ＵＥは、信号を伝送せず、あるいは伝送を延期するために、
【０１４５】
-  ＵＥは、ＣＣＡを継続して実行し、検出された値がＣＣＡしきい値以下である場合にアップリンク信号を伝送できる。
【０１４６】
あるいは、
-  ＵＥは、制御ノードにより伝送されたスケジューリング情報を次に受信した後にＣＣＡを実行する。ＵＥは、検出された値がしきい値より高い場合にはアップリンク送信を断念し、検出された値がＣＣＡしきい値以下である場合にはアップリンク信号を伝送する。
【０１４７】
あるいは
-  ＵＥは、所定の時間ウィンドウ内でＣＣＡを継続して実行できる。検出された値がＣＣＡしきい値以下である場合、ＵＥは、アップリンク信号を伝送し、そうでない場合には、アップリンク送信を中断する。時間ウィンドウが終了する場合、ＵＥは、ＣＣＡを中断する。
【０１４８】
あるいは
-  ＵＥは、所定の時間ウィンドウ内でＣＣＡを継続して実行できる。検出された値がＣＣＡしきい値以下である場合、ＵＥは、アップリンク信号を伝送し、そうでない場合には、アップリンク送信を中断する。時間ウィンドウが終了する場合、ＵＥは、ＣＣＡなしに直接アップリンク信号を伝送できる。
【０１４９】
一実施形態において、検出された値がＣＣＡしきい値より高い場合、ＵＥは、アップリンク送信電力を調整する。
【０１５０】
このとき、
-  ＵＥは、構成されたアップリンク送信電力の最小値及び最大値により決定された範囲内でアップリンク送信電力を調整し、すなわち上記した第１の解決方法を採用する。
【０１５１】
あるいは、
-  ＵＥは、アップリンク送信電力Ｘ１＝ｍｉｎ(Ｙ２＋Ｙ３-Ｙ１，Ｘ２）を調整し、ここで、Ｙ２及びＹ３は、アンライセンスバンドアクセス技術装置との共存を実現するための所定のパラメータであり、Ｙ１は、ＣＣＡを実行して獲得した干渉信号のエネルギーレベルを意味し、Ｘ２は、制御ノードによりスケジューリングされたＵＥのアップリンク送信電力を意味する。ＵＥは、電力Ｘ１でアップリンク信号を伝送する。この方法は、図５に示すように、上記した第２の解決方法である。
【０１５２】
あるいは、
-  ＵＥは、所定の基準、例えばＸ１＝ｍｉｎ(Ｙ２＋Ｙ３-Ｙ１，Ｘ２)によってアップリンク送信電力Ｘ１を計算し、アップリンク送信電力の所定の最小値Ｘと比較する。Ｘ１≦Ｘである場合、ＵＥは、信号を伝送せず、そうでない場合、電力Ｘ１でアップリンク信号を伝送する。この方法は、上記した第３の解決方法である。
【０１５３】
ステップ１２０１でＵＥにより獲得された最大送信電力構成情報が準静的に構成された値である場合、例えば最大送信電力Ｙがステップ１２０１の(８)でＣＣＡしきい値を決定するために使用される最大送信電力として構成されるか、(１)で全体最大出力電力(ＰＣＭＡＸ)として構成されるか、(２)でキャリアでの最大送信電力(Ｐｃｍａｘ_ｃ)として構成されるか、(３)でサービングセルグループ最大送信電力として構成されるか、あるいは(７)で最大送信電力オフセットとして構成される場合、ステップ１２０２で構成された最大送信電力に従ってＵＥによりＣＣＡしきい値を計算するプロセスは、基地局によりＵＥに対してＣＣＡしきい値を構成するステップと同様であることに留意すべきである。ＣＣＡしきい値Ｚ１の計算式Ｚ１＝Ｙ２＋Ｙ３-Ｙにおいて、Ｙ２及びＹ３は固定値であり、Ｙのみが準静的に基地局により構成される変数である。したがって、基地局によりＵＥに対してＹを構成するプロセスは、ＵＥに対してＺ１を構成するプロセスと同様である。基地局は、該当ＣＣＡしきい値を推論して適切なＵＥ最大アップリンク電力によってＵＥに対するＣＣＡしきい値を構成でき、例えば、キャリアの干渉レベルに従ってＵＥ最大アップリンク電力を決定できる。また、基地局は、適切なＣＣＡしきい値を直接に決定し、ＵＥに対してＣＣＡしきい値を直接構成できる。詳細な実施形態では、基地局の実現に基づき、本発明で制限されない。上記分析に基づき、本実施形態の他の実施形態は、図１３に示すとおりであり、次の事項を含む。
【０１５４】
ステップ１３０１において、ＵＥは、ＣＣＡしきい値を獲得し、ＣＣＡしきい値は、制御ノードにより構成され、例えば基地局により準静的に構成される。
【０１５５】
一実施形態において、準静的に構成されたＣＣＡしきい値は、ＲＲＣシグナリング又はＭＡＣシグナリングにより表示できる。
【０１５６】
一実施形態において、準静的に構成されたＣＣＡしきい値Ｚ１はＹ２より大きくなく、及び/又は準静的に構成されたＣＣＡしきい値Ｚ１はＹ２＋(Ｙ３-ＰＣＭＡＸ)より大きくなく、又は準静的に構成されたＣＣＡしきい値Ｚ１はＹ２＋(Ｙ３-Ｐｃｍａｘ_ｃ)より大きくなく、又は準静的に構成されたＣＣＡしきい値Ｚ１はＹ２＋(Ｙ３-Ｐ電力クラス)より大きくない。
【０１５７】
ステップ１３０２において、ＵＥは、アンライセンスバンドの同一のキャリアでＣＣＡを実行し、検出された干渉信号のエネルギーレベルがステップ１３０１で決定されたＣＣＡしきい値より高いか否かを判定し、判定結果によってキャリアでのＵＥのアップリンク送信モードを決定する。上記したように、検出された値(すなわち、干渉信号のエネルギーレベル）がＣＣＡしきい値以下である場合、例えばＹ１≦Ｚ１である場合、ＵＥは、基地局のスケジューリング後に信号を伝送し、検出された値がＣＣＡしきい値より高い場合、すなわちＹ１＞Ｚ１である場合、ＵＥは、信号を伝送せず、あるいは信号伝送を延期し、又はアップリンク送信電力を調整し、調整したアップリンク送信電力でアップリンク信号を伝送する。
【０１５８】
このステップで、ＵＥはＣＣＡしきい値としてステップ１３０１で決定されたＣＣＡしきい値より低い値を選択し、すなわちステップ１３０１で決定されたＣＣＡしきい値は、ＵＥにより使用できるＣＣＡしきい値の最大値として見なされる。ＵＥにより利用されるＣＣＡしきい値の決定は、ＵＥの実施に依存する。ＵＥは、地域ポリシーに従って決定できる。
【０１５９】
＜第４の実施形態＞
本発明の実施形態は、電力制御方法を提供する。上記方法は、制御ノードから電力制御表示情報をＵＥにより受信し、送信電力制御(ＴＰＣ)コマンドを獲得するステップと、ＴＰＣコマンドに従ってアンライセンスバンドでのＵＥの伝送のための送信電力をＵＥにより調整するステップを有する。
【０１６０】
制御ノードは、通信中に制御機能を遂行するＵＥ又は基地局であり得る。この実施形態において、基地局は、例示的な制御ノードとして見なされる。
【０１６１】
第１のケースにおいて、ＵＥが累積電力制御モードでオペレーティングするように構成される場合、例えば上位レイヤにより提供されるパラメータＡｃｃｕｍｕｌａｔｉｏｎ-ｅｎａｂｌｅｄに基づいて累積が可能である場合、又はＴＰＣコマンドδPUSCH,c(ｉ-ＫPUSCH)がＣＲＣが臨時Ｃ-ＲＮＴＩによりスクランブルされるサービングセルｃに対してＤＣＩフォーマット０を有するＰＤＣＣＨ/ＥＰＤＣＣＨに含まれる場合、サービングセルｃに対するサブフレームｉでのＰＵＳＣＨ伝送のための送信電力ＰPUSCH,c(ｉ)のようにＵＥの伝送のための送信電力でのＰＵＳＣＨ電力制御調整状態変数ｆｃ(ｉ）は、ｆｃ(ｉ)＝ｆｃ(ｉ-１)＋δPUSCH,c(ｉ-ＫPUSCH)により定義できる。
【０１６２】
参照のために、３ＧＰＰ  ＴＳ３６.２１３のセクション５.１.１.１のＰＵＳＣＨ電力制御式を参照する。
【０１６３】
δPUSCH,c(ｉ-ＫPUSCH）は、サブフレームｉ-ＫPUSCHでＵＥにより受信されたＴＰＣコマンドを表す。ＴＰＣコマンドは、サブフレームｉのアップリンク送信をスケジューリングするＤＣＩ、例えばＤＣＩフォーマット０/４に含まれるか、あるいは電力調整を示すための専用ＤＣＩ、例えばＤＣＩフォーマット３/３Ａに含まれる。次の条件に対して、
(１)ＵＥは、サブフレームｉ-ＫPUSCHで該当ＴＰＣコマンドを受信しない。
(２)ＵＥは、ＤＲＸ状態にある。
(３)ＴＤＤシステムにおいて、サブフレームｉは、アップリンクサブフレームでない。
(４)アンライセンスキャリアｃで、ＵＥは、サブフレームｉでアップリンク信号を伝送しない。
(５)アンライセンスキャリアｃで、サブフレームｉは、アップリンクサブフレームでない。
(６)アンライセンスキャリアｃで、ＵＥは、サブフレームｉでアップリンク送信のためにスケジューリングされない。
【０１６４】
上記条件(１)，(２)，(３)，(４)のうちいずれか一つが満たされる場合、δPUSCH,c＝０、又は
上記条件(１)，(２)，(３)，(５)のうちいずれか一つが満たされる場合、δPUSCH,c＝０、又は
上記条件(１)，(２)，(３)，(６)のうちいずれか一つが満たされる場合、δPUSCH,c＝０、又は
上記条件(１)，(２)，(３)，(４)，(５)のうちいずれか一つが満たされる場合、δPUSCH,c＝０、又は
上記条件(１)，(２)，(３)，(４)，(６)のうちいずれか一つが満たされる場合、δPUSCH,c ＝０、又は
上記条件(１)，(２)，(３)，(５)，(６)のうちいずれか一つが満たされる場合、δPUSCH,c＝０、又は  
上記条件(１)，(２)，(３)，(４)，(５)，(６)のうちいずれか一つが満たされる場合、δPUSCH,c＝０である。
【０１６５】
ＬＡＡシステムにおいて、一つの慣れたアプリケーションシナリオは、次のようにアンライセンスバンドのキャリアで半永久的なサービス(ＳＰＳ)伝送がサポートされず、すなわち、ＵＬグラントに基づいた動的スケジューリングされたサービスの伝送のみがサポートされる。例えば、基地局は、サブフレームｉでＵＥのアップリンク送信をスケジューリングするためにサブフレームｉ-ＫPUSCHで新たなＤＣＩフォーマット又はＤＣＩフォーマット０/４を有するＵＬグラントを伝送する。同時に、アンライセンスバンドのキャリアで、非適応再伝送はサポートされず、すなわちＰＨＩＣＨに基づいた再伝送はサポートされず、ＵＬグラントに基づいた動的スケジューリングされたサービスの伝送のみがサポートされる。したがって、アンライセンスバンドで、ＴＰＣコマンドは、ＵＬグラントにより生成されるが、電力調整を示すために使用される従来のＤＣＩフォーマット３/３Ａにより生成されない。この場合、ＵＥがＵＬグラントを検出しない場合、ＵＥは、アップリンクスケジューリング情報を獲得できず、ＴＰＣ情報も獲得できない。したがって、ＵＥは、該当サブフレームでアップリンク送信を実行しない。この場合、関連技術によれば、ＵＥは、ＴＰＣ情報を受信しないため、δPUSCH,c＝０である。
【０１６６】
他のケースにおいて、ＵＥは、ＵＬグラントを検出し、アップリンクスケジューリング情報及びＴＰＣ情報を獲得する。しかしながら、ＵＥは、ＵＥがスケジューリングされるサブフレームでＣＣＡを通過せず、アップリンク送信を実行できない。したがって、ＵＥは、該当サブフレームでアップリンク送信を実行しない。このような場合、関連技術によると、ＵＥは、受信されたδPUSCH,c、すなわちδPUSCH,c≠０に従ってｆｃ(ｉ)をアップデートする。しかしながら、この場合、ＵＥは、アップリンク信号を伝送しない。ｆｃ(ｉ）のアップデートは無意味である。一方、これは、基地局及びＵＥがＴＰＣに対する異なる理解を有するようにする。基地局がアップリンク送信を検出しない場合、基地局は、ＵＬグラントを受信せず、あるいはＵＬグラントを受信するがＣＣＡを通過しないことによってＵＥがアップリンク信号を伝送しないか否かを判定できないため、ＵＥがＴＰＣを受信して電力を累積したか否かを判定できず、これは、基地局及びＵＥにより計算されたｆｃ(ｉ)の非同期化を招く。例えば、サブフレームｉ-４、ｉ-５、ｉ-６、及びｉ-７で、基地局は、各々サブフレームｉ、ｉ-１、ｉ-２、及びｉ-３でアップリンク信号を伝送するためにＵＥ１をスケジューリングするための４個のＵＬグラントを伝送し、ＴＰＣコマンドは、＋１、＋２、＋１、及び＋０ｄＢである。ＵＥ１は、サブフレームｉ-５ではＵＬグラントを検出するのに失敗し、サブフレームｉ-４、ｉ-６、及びｉ-７ではＵＬグラントを正確に検出するが、サブフレームｉでのみＣＣＡを通過し、すなわちＵＥはサブフレームｉでのみアップリンク信号を伝送する。関連技術によると、ＵＥは、δPUSCH,c(ｉ-４)、δPUSCH,c(ｉ-６)、及びδPUSCH,c(ｉ-７）のＴＰＣによってｆｃ(ｉ)をアップデートし、すなわち、ｆｃ(ｉ)＝ｆｃ(ｉ-４)＋１＋１＋０である。しかしながら、基地局は、サブフレームｉのみでアップリンク信号を検出するため、基地局は、ＵＥがサブフレームｉ-４のＴＰＣのみを受信するか否かを判定するが、ＵＥが他のサブフレームのＴＰＣを受信するか否かは判定しないことがある。したがって、基地局は、ＵＥにより採用されたｆｃ(ｉ)＝ｆｃ(ｉ-４)＋ＡでＡがδPUSCH,c(ｉ-４)のみをを含むか、あるいはδPUSCHh,c(ｉ-４)＋δPUSCH,c(ｉ-５)を含むか、あるいはδPUSCH,c(ｉ-４)＋δPUSCH,c(ｉ-６)を含むか、あるいはδPUSCH,c(ｉ-４)＋δPUSCH,c(ｉ-７)を含むか、またはδPUSCH,c(ｉ-４)+δPUSCH,c(ｉ-５)＋δPUSCH,c(ｉ-６)を含むか、あるいはδPUSCH,c(ｉ-４)＋δPUSCH,c(ｉ-５)＋δPUSCH,c(ｉ-７)を含むか、またはδPUSCH,c(ｉ-４)＋δPUSCH,c(ｉ-６)＋δPUSCH,c(ｉ-７)を含むか、またはδPUSCH,c(ｉ-４)＋δPUSCH,c(ｉ-５)+δPUSCH,c(ｉ-６)＋(ｉ-７)を含むか否かを判定できない。最大２ｎの可能性があり、ｎは、ＵＥがスケジューリングされるが、アップリンク信号が検出されないサブフレームの数を意味する。ここで、ｎ＝３である。第４の実施形態の方法によると、ＵＥがｆｃ(ｉ)をアップデートする場合、アップリンク信号が伝送されるサブフレームに対応するδPUSCH,cのみが考慮される。すなわち、アップリンク信号が伝送されないサブフレームに対してδPUSCH,c＝０である。したがって、本実施形態において、ｆｃ(ｉ)＝ｆｃ(ｉ-４)＋ＡでのＡはδPUSCH,c(ｉ-４)のみを含み、δPUSCH,c(ｉ-５)、δPUSCH,c(ｉ-６)、及び��PUSCH,c(ｉ-７）は０に設定される。したがって、基地局はＡ値を決定できる。
【０１６７】
本実施形態における上記条件(４)の方法は、次の２つの状況をさらに含むことに留意しなければならない。
【０１６８】
(４.ａ)基地局がサブフレームｉでアップリンク信号を伝送するためにＵＥをスケジューリングする場合、基地局及び/又はＵＥは、ＵＥがサブフレームｉでアップリンク信号を伝送できるか否かを予測できない。
【０１６９】
例えば、アンライセンスバンドで、ＵＥにより検出される必要があるアイドルＣＣＡスロットの数ＮがＵＥによって決定される。基地局は、Ｎ値がわからないため、サブフレームｉ以前にＵＥがＣＣＡを通過できるか否かは事前にわからない。一方、ＵＥは、サブフレームｉでアップリンク信号を伝送できるか否か、例えばアップリンクスケジューリング信号を受信した後にＵＥにより生成されたＮの値が比較的大きく、ＵＥにより検出される必要のあるアイドルＣＣＡスロットの数Ｎに該当する期間がＵＥがＣＣＡを実行できる期間より長いか否かを予測でき、例えば、ＵＥは、ＵＥがスケジューリングされるサブフレームの以前ＯＦＤＭシンボルのみでＣＣＡを実行できるが、Ｎに対応する期間が一つのＯＦＤＭシンボルより長いため、ＵＥと基地局は、両方ともＵＥがスケジューリングされるサブフレームｉでＵＥがアップリンク送信を実行しないと決定できる。確実に、ＵＥにより生成されたＮの値が比較的小さい場合、ＵＥは、サブフレームｉ以前にＵＥがＣＣＡを通過するか否かを予測できない。
【０１７０】
(４.ｂ)基地局がサブフレームｉでアップリンク信号を伝送するためにＵＥをスケジューリングする場合、ＵＥは、サブフレームｉでアップリンク信号を伝送しないことを基地局及び/又はＵＥが既に知っている。
【０１７１】
例えば、アンライセンスバンドで、ＵＥにより検出される必要があるアイドルＣＣＡスロットの数Ｎは、基地局により決定され、スケジューリングされており、例えばＵＥをスケジューリングするＵＬグラントに示されたＵＥにシグナリングされる。ＵＥにより検出される必要があるアイドルＣＣＡスロットの数Ｎに対応する期間が、ＵＥがＣＣＡを実行できる時間より長い場合、例えば、ＵＥが、Ｎに対応する期間は一つのＯＦＤＭシンボルを超えるが、ＵＥがスケジューリングされるサブフレーム内の以前ＯＦＤＭシンボルのみでＣＣＡを実行できる場合、ＵＥと基地局は両方とも、ＵＥがスケジューリングされるサブフレームｉでアップリンク送信を実行しないと判定できる。
【０１７２】
本実施形態において、(４.ａ)及び(４.ｂ）の状況は、また区別されず、２つの状況両方ともに対して、ＵＥがサブフレームｉでアップリンク信号を伝送しない場合、ｆｃ(ｉ）はδPUSCH,c(ｉ-ＫPUSCH)によりアップデートされない。本実施形態において、(４.ａ)及び(４.ｂ）の状況を区別することも可能であり、例えば(４.ａ)状況ではＵＥがサブフレームｉでアップリンク信号を伝送しない場合に、ｆｃ(ｉ)がδPUSCH,c(ｉ-ＫPUSCH)によってもアップデートされる一方で、(４.ｂ)状況ではＵＥがサブフレームｉでアップリンク信号を伝送しない場合、ｆｃ(ｉ)がδPUSCH,c(ｉ-ＫPUSCH)によってアップデートされない。
【０１７３】
ＬＡＡシステムにおいて、アンライセンスキャリアのアップリンク-ダウンリンクサブフレーム構成がサブフレームレベルから動的に変更する他のアプリケーションシナリオが存在する。例えば、基地局は、アップリンクサブフレームとしてサブフレームｉを構成した後に、ダウンリンクサブフレームとしてサブフレームｉを構成する。この場合、ＵＥがサブフレームｉがアップリンクサブフレームでないと決定される場合、ＵＥがサブフレームｉ-ＫPUSCHでδPUSCH,c(ｉ-ＫPUSCH）の値を示すＴＰＣを受信する場合にもδPUSCH,c＝０とし、これは、本実施形態の上記条件(５）の方法に対応して、すなわちアンライセンスキャリアｃでサブフレームｉがアップリンクサブフレームでない場合に、δPUSCH,c＝０である。
【０１７４】
ＬＡＡシステムにおいて、アンライセンスキャリアのアップリンク-ダウンリンクサブフレーム構成がサブフレームレベルで動的に変更可能な他のアプリケーションシナリオが、さらに存在する。基地局は、サブフレームｉがアップリンクサブフレームであるか否かを示すシグナリングを伝送できないが、ＵＥは、基地局がサブフレームｉでアップリンク信号を伝送するためにＵＥをスケジューリングするか否かによってサブフレームｉがアップリンクサブフレームであるか否かを決定でき、すなわち基地局がサブフレームｉでアップリンク信号を伝送するためにＵＥをスケジューリングする場合、ＵＥは、サブフレームｉがアップリンクサブフレームであると決定できる一方で、基地局がサブフレームｉでアップリンク信号を伝送するためにＵＥをスケジューリングしない場合、ＵＥは、サブフレームｉがアップリンクサブフレームであるか否かを判定できず、例えばＵＥは、基地局がサブフレームｉで他のユーザーをスケジューリングするか否かを判定できない。この場合、本実施形態の条件(６）の上記方法によると、アンライセンスキャリアｃで、ＵＥがサブフレームｉでアップリンク信号を伝送するためにスケジューリングされない場合、δPUSCH,c＝０である。
【０１７５】
第２のケースにおいて、ＵＥが累積電力制御モードでオペレーティングするように構成されない場合、例えば上位レイヤにより提供されたパラメータＡｃｃｕｍｕｌａｔｉｏｎ-ｅｎａｂｌｅｄに基づいてサービングセルｃに対して累積が可能でない場合、サービングセルｃに対するサブフレームｉでのＰＵＳＣＨ伝送のための送信電力 δPUSCH,c(ｉ)のようなＵＥの伝送のための送信電力でのＰＵＳＣＨ電力制御調整状態パラメータｆｃ(ｉ）は、ｆｃ(ｉ)＝δPUSCH,c(ｉ-ＫPUSCH）により定義できる。
【０１７６】
δPUSCH,c(ｉ-ＫPUSCH）は、サブフレームｉ-ＫPUSCHでＵＥにより受信されたＴＰＣコマンドを意味する。ＴＰＣコマンドは、サブフレームｉのアップリンク送信をスケジューリングするＤＣＩ、例えばＤＣＩフォーマット０/４に含まれる。次の条件に対して、
(１)ＵＥは、サブフレームｉ-ＫPUSCHで該当ＴＰＣコマンドを受信しない。
(２)ＵＥは、ＤＲＸ状態にある。
(３)ＴＤＤシステムにおいて、サブフレームｉは、アップリンクサブフレームでない。
(４)アンライセンスキャリアｃで、ＵＥは、サブフレームｉでアップリンク信号を伝送しない。
(５)アンライセンスキャリアｃで、サブフレームｉは、アップリンクサブフレームでない。
(６)アンライセンスキャリアｃで、ＵＥは、サブフレームｉでアップリンク送信のためにスケジューリングされない。
【０１７７】
上記条件(１)，(２)，(３)，(４)のうちいずれか一つが満たされる場合、ｆｃ(ｉ)＝ｆｃ(ｉ-１)、又は
上記条件(１)，(２)，(３)，(５)のうちいずれか一つが満たされる場合、ｆｃ(ｉ)＝ｆｃ(ｉ-１)、又は
上記条件(１)，(２)，(３)，(６)のうちいずれか一つが満たされる場合、ｆｃ(ｉ)＝ｆｃ(ｉ-１)、又は
上記条件(１)，(２)，(３)，(４)，(５)のうちいずれか一つが満たされる場合、ｆｃ(ｉ)＝ｆｃ(ｉ-１)、又は
上記条件(１)，(２)，(３)，(４)，(６)のうちいずれか一つが満たされる場合、ｆｃ(ｉ)＝ｆｃ(ｉ-１)、又は
上記条件(１)，(２)，(３)，(５)，(６)のうちいずれか一つが満たされる場合、ｆｃ(ｉ)＝ｆｃ(ｉ-１)、又は
上記条件(１)，(２)，(３)，(４)，(５)，(６)のうちいずれか一つが満たされる場合、ｆｃ(ｉ)＝ｆｃ(ｉ-１)である。
【０１７８】
上記した説明は、一例としてＰＵＳＣＨの電力制御を選択する。上記方法は、アンライセンスバンドのキャリアで伝送された他のアップリンク信号、例えばＳＲＳ又はＰＵＣＣＨの電力制御にも適用可能である。
【０１７９】
本発明の実施形態により提供された上記電力制御方法において、ＵＥは、次の２つの方式を通じてＰＨＲを報告できる。
【０１８０】
一つの方式で、ＵＥがＰＨＲを報告する場合、利用されたｆｃ(ｉ)は、本実施形態で記述されたアップリンク送信のための送信電力を決定するためのものと同一である。
【０１８１】
他の方式では、ＵＥがＰＨＲを報告する場合、利用されたｆｃ(ｉ)は、本実施形態で記述されたアップリンク送信のための送信電力を決定するためのものと異なる。例えば、ＰＨＲを報告するためのｆｃ(ｉ）は、上記条件(１)〜(３)により決定される。アンライセンスバンドで、基地局がサブフレームｉでアップリンク信号を伝送するためにＵＥをスケジューリングし、ＵＥがサブフレームｉ-ＫPUSCHコマンドを受信するが、ＵＥがＣＣＡを通過しなくてサブフレームｉでアップリンク信号を伝送しない場合、ＵＥは、ＰＨＲを計算する場合にδPUSCH,c(ｉ-ＫPUSCH)によって仮定した送信電力でｆｃ(ｉ)をアップデートする。しかしながら、アップリンク信号を伝送する場合に計算されたアップリンク送信電力でｆｃ(ｉ）は、上記条件(１)〜(４)により決定されるので、δPUSCH,c(ｉ-ＫPUSCH)＝０である。
【０１８２】
４つの実施形態を参照して、本発明により提供される電力制御方法、電力報告方法、及びアップリンク送信方法が記述される。実際のアプリケーションにおいて、上記方法は、独立的に使用され、組み合わせで使用される。
【０１８３】
例えば、第１の実施形態の解決方法に基づいて、基地局は、ＵＥに電力制御モード又は電力制御メカニズムを示すためにＵＥに電力制御表示情報を伝送する。電力制御表示情報がＵＥ自己調整電力制御モードを示す場合、ＵＥは、第３の実施形態の解決方法により、所定のしきい値に従って送信電力を減少させるか、伝送を放棄するか、あるいは伝送を延期するかを判定する。所定のしきい値がＺ１であると仮定すると、ＵＥにより検出された他の装置の信号エネルギーレベルＹ１≦Ｚ１である場合、ＵＥは、アップリンク送信電力を調整してエネルギーレベルＸ１で伝送し、ここでＸ１＝ｍｉｎ{Ｘ２，Ｘ３}であり、Ｘ２は、基地局によりスケジューリングされるアップリンク送信電力であり、Ｘ３は、ＵＥにより検出された他の装置の信号エネルギーレベルに従ってＵＥにより決定されるアップリンク送信電力である。例えば、Ｘ３＝Ｙ２＋Ｙ３-Ｙ１であり、ここでＹ２及びＹ３は、アンライセンスバンドで他の無線アクセス技術装置との共存を実現するためのパラメータである。さらに、ＵＥは、第２の実施形態の解決方法により基地局に実際の送信電力を報告し、例えば、Ｘ１を報告し、あるいは(図６の６０１，６０２，６０４，６０５，６０７に示すように)Ｘ３-Ｘ２を報告することができる。
【０１８４】
本発明は、ＵＥの助けで基地局によりＵＥに適切な送信電力を割り当てるか、あるいはＵＥにより送信電力を独立的に調整して同一の、又は異なる無線アクセス技術の隣接した装置に対する干渉を防止し、ＵＥのアップリンクスケジューリング効率を増加させることで、全体ネットワークの効率を増加させることを上記技術的解決方法からわかる。
【０１８５】
上記した方法によると、本発明は、図７に示すように、制御ノードをさらに提供し、この制御ノードは、電力制御表示モジュール及び通信モジュールを含み、電力制御表示モジュールは、アンライセンスバンドでＵＥのアップリンク送信電力を制御するために使用される電力制御モード又は電力制御メカニズムを示すために使用される電力制御表示情報を生成するように構成され、通信モジュールは、ＵＥに電力制御表示情報を伝送するように構成される。
【０１８６】
上記方法によると、本発明は、図８に示すような制御ノードをさらに提供し、制御ノードは、処理モジュール及びスケジューリングモジュールを含み、報告書処理モジュールは、ＵＥのアンライセンスバンドのアップリンク送信電力制御関連情報をＵＥから受信するように構成され、スケジューリングモジュールは、アップリンク送信電力制御関連情報によりアンライセンスバンドでＵＥをスケジューリングするように構成される。
【０１８７】
上記方法によると、本発明は、ＵＥをさらに提供する。図９に示すように、ＵＥは、通信モジュール及び電力制御モジュールを含み、通信モジュールは、制御ノードから電力制御表示情報を受信するように構成され、電力制御モジュールは、電力制御表示情報から電力制御モード又は電力制御メカニズムを獲得し、電力制御モード又は電力制御メカニズムによりアンライセンスバンドでＵＥのアップリンク送信に対する電力制御を実行するように構成される。
【０１８８】
上記方法によると、本発明は、図１０に示すようにＵＥをさらに提供する。ＵＥは、モジュール及び通信モジュールを含み、報告モジュールは、通信モジュールにＵＥのアンライセンスバンドのアップリンク送信電力制御関連情報を伝送するように構成され、通信モジュールは、制御ノードにＵＥのアンライセンスバンドのアップリンク送信電力制御関連情報を報告するように構成される。
【０１８９】
上記方法によると、本発明は、図１１に示すようなＵＥをさらに提供し、ＵＥは、測定モジュール及び電力制御モジュールを含み、測定モジュールは、アンライセンスバンドの同一のキャリアでの他の無線アクセス技術信号のエネルギーレベルを測定するように構成され、電力制御モジュールは、他の無線アクセス技術信号のエネルギーレベルに従ってキャリアでのＵＥのアップリンク送信電力を決定するように構成される。
【０１９０】
第４の実施形態の方法によると、本発明は、図１４に示すようにＵＥをさらに提供する。ＵＥは、表示受信モジュール及び電力調整モジュールを含み、表示受信モジュールは、制御ノードから電力制御表示情報を受信してＴＰＣコマンドを獲得するように構成され、電力調整モジュールは、ＴＰＣコマンドによってアンライセンスバンドでのＵＥの伝送のために送信電力調整を実行するように構成される。累積が可能である場合、電力調整モジュールｆｃ(ｉ)＝ｆｃ(ｉ-１)＋δｃ(ｉ-Ｋ)によりサービングセルｃに対するサブフレームｉでの伝送のための送信電力制御調整状態変数ｆｃ(ｉ)をＵＥにより計算し、δｃ(ｉ-Ｋ）は、サブフレームｉ-ＫでＵＥにより受信されたＴＰＣコマンドを表し、次の条件１乃至６に対して、
１．ＵＥは、サブフレームｉ-ＫPUSCHで該当ＴＰＣコマンドを受信しない。
２．ＵＥは、ＤＲＸ状態にある。
３．ＴＤＤシステムにおいて、サブフレームｉは、アップリンクサブフレームでない。
４．アンライセンスキャリアｃで、ＵＥは、サブフレームｉでアップリンク信号を伝送しない。
５．アンライセンスキャリアｃで、サブフレームｉは、アップリンクサブフレームでない。
６．アンライセンスキャリアｃで、ＵＥは、サブフレームｉでアップリンク送信のためにスケジューリングされない。
【０１９１】
上記条件１，２，３，４のうちいずれか一つが満たされる場合、δｃ＝０、又は
上記条件１，２，３，５のうちいずれか一つが満たされる場合、δｃ＝０、又は
上記条件１，２，３，６のうちいずれか一つが満たされる場合、δｃ＝０、又は
上記条件１，２，３，４，５のうちいずれか一つが満たされる場合、δｃ＝０、又は
上記条件１，２，３，４，６のうちいずれか一つが満たされる場合、δｃ＝０、又は
上記条件１，２，３，５，６のうちいずれか一つが満たされる場合、δｃ＝０、又は
上記条件１，２，３，４，５，６のうちいずれか一つが満たされる場合、δｃ＝０である。
【０１９２】
累積が可能でない場合、電力調整モジュールは、ｆｃ(ｉ)＝δｃ(ｉ-Ｋ)によりサービングセルｃに対するサブフレームｉでのＵＥの伝送のための電力制御調整状態変数ｆｃ(ｉ)を計算し、δｃ(ｉ-Ｋ）は、サブフレームｉ-ＫでＵＥにより受信されたＴＰＣコマンドを表し、上記条件１乃至６に対して、
上記条件１，２，３，４のうちいずれか一つが満たされる場合、ｆｃ(ｉ)＝ｆｃ(ｉ-１)、又は
上記条件１，２，３，５のうちいずれか一つが満たされる場合、ｆｃ(ｉ)＝ｆｃ(ｉ-１)、又は
上記条件１，２，３，６のうちいずれか一つが満たされる場合、ｆｃ(ｉ)＝ｆｃ(ｉ-１)、又は
上記条件１，２，３，４，５のうちいずれか一つが満たされる場合、ｆｃ(ｉ)＝ｆｃ(ｉ-１)、又は
上記条件１，２，３，４，６のうちいずれか一つが満たされる場合、ｆｃ(ｉ)＝ｆｃ(ｉ-１)、又は
上記条件１，２，３，５，６のうちいずれか一つが満たされる場合、ｆｃ(ｉ)＝ｆｃ(ｉ-１)、又は
上記条件１，２，３，４，５，６のうちいずれか一つが満たされる場合、ｆｃ(ｉ)＝ｆｃ(ｉ-１)である。
【０１９３】
以上、詳細な説明は、本発明の好ましい実施形態を提供するだけであって、その特許請求の範囲を限定するために使用されない。特許請求の範囲の記載及びこれと均等なものに基づいて定められる本発明の範囲及び精神を逸脱することなく、様々な変更又は修正が可能であることは、当該技術分野における通常の知識を持つ者には明らかである。
【図１】
0006732291.tif 000003
【図２】
0006732291.tif 000004
【図３】
0006732291.tif 000005
【図４】
0006732291.tif 000006
【図５】
0006732291.tif 000007
【図６】
0006732291.tif 000008
【図７】
0006732291.tif 000009
【図８】
0006732291.tif 000010
【図９】
0006732291.tif 000011
【図１０】
0006732291.tif 000012
【図１１】
0006732291.tif 000013
【図１２】
0006732291.tif 000014
【図１３】
0006732291.tif 000015
【図１４】
0006732291.tif 000016